(57)【要約】ノード（１１０、１１５）における方法は、であって、少なくとも第１のサブフレーム（３０４、４０５）を含むフレーム構成を生成すること（７０４）であって、該第１のサブフレームは、第１のシンボル（３１０Ａ、５１０Ａ）と第２のシンボル（３１０Ｂ、５１０Ｂ）を含み、該第１と第２のシンボルのそれぞれは、複数のリソースエレメントを含む。方法は、参照信号（３３５Ａ〜Ｇ、４３５Ａ〜Ｇ、５３５Ａ〜Ｇ）に対して、該第１のシンボルにおける該複数のリソースエレメントの１つ以上を予約すること（７０８）と、該第１のシンボルにおける該予約されたリソースエレメントの１つ以上を、参照シンボル（３３５Ｂ〜Ｄ、４３５Ｂ〜Ｄ、５３５Ｂ〜Ｄ）で変調することであって、該変調された、該第１のシンボルにおける該予約されたリソースエレメントの１つ以上は、周波数領域において、該第２のシンボルにおいて伝達された該データ送信と重なる該１つ以上の予約されたリソースエレメントのサブセットを含み、該少なくとも１つのサブフレームを別のノードに送信すること（７１６）、を含む。
2019508926.tif 000002
【特許請求の範囲】
【請求項１】
ノード（１１０、１１５）における方法であって、
少なくとも第１のサブフレーム（３０４、４０５）を含むフレーム構成を生成すること（７０４）であって、前記第１のサブフレームは、第１のシンボル（３１０Ａ、５１０Ａ）と第２のシンボル（３１０Ｂ、５１０Ｂ）を含み、前記第１と第２のシンボルのそれぞれは、複数のリソースエレメントを含み、前記第１のシンボルは、制御情報（３２５、４２５Ａ、４２５Ｂ、５２５）を伝達し、前記第２のシンボルはデータ送信（３３０、４３０Ａ、４３０Ｂ、５３０）を伝達する、ことと、
参照信号（３３５Ａ〜Ｇ、４３５Ａ〜Ｇ、５３５Ａ〜Ｇ）に対して、前記第１のシンボルにおける前記複数のリソースエレメントの１つ以上を予約すること（７０８）と、
前記第１のシンボルにおける前記予約されたリソースエレメントの１つ以上を、参照シンボル（３３５Ｂ〜Ｄ、４３５Ｂ〜Ｄ、５３５Ｂ〜Ｄ）で変調することであって、前記変調された、前記第１のシンボルにおける前記予約されたリソースエレメントの１つ以上は、周波数領域において、前記第２のシンボルにおいて伝達された前記データ送信と重なる前記１つ以上の予約されたリソースエレメントのサブセットを含む、ことと、
前記少なくとも１つのサブフレームを別のノードに送信すること（７１６）、を含む方法。
【請求項２】
請求項１に記載の方法であって、
前記フレーム構成は、更に、複数のシンボルを含む第２のサブフレーム（４０５Ｂ）を含み、
前記第１のサブフレームの前記第２のシンボルにおいて伝達される前記データ送信は、時間領域で、前記第２のサブフレームの前記複数のシンボルの少なくとも１つを横断する、サブフレームアグリゲートデータ送信（４３０Ａ）であり、
前記方法は、前記サブフレームアグリゲートデータ送信内の前記複数のシンボルのどれが参照信号を含むかを示す情報を通信することを含む、方法。  
【請求項３】
請求項１に記載の方法であって、多入力多出力（ＭＩＭＯ）送信スキームに対する複数の直交参照信号を作成することを含む、方法。
【請求項４】
請求項３に記載の方法であって、前記ＭＩＭＯ送信スキームに対する複数の直交参照信号を作成することは、
参照信号を分離するために周波数分割多重を使用すること、
参照信号を分離するために符号分割多重を使用すること、
前記第１のシンボルにおいて参照シンボルで変調された前記予約されたリソースエレメントと、前記第２のシンボルにおける前記複数のリソースエレメントの１つ以上との間の直交カバーコードを使用すること、の１つ以上を含む、方法。
【請求項５】
請求項１に記載の方法であって、
前記第１と第２のシンボルは、直交周波数分割多重シンボルであり、
前記参照信号は、復調参照信号を含む、方法。
【請求項６】
請求項１に記載の方法であって、前記ノードは、
ネットワークノード（１１５）、および、
デバイス・ツー・デバイスのシナリオにおいて動作する無線デバイス（１１０）のいずれかを含む、方法。
【請求項７】
請求項１に記載の方法であって、前記制御情報は、物理ダウンリンク制御チャネル上で伝達され、前記データ送信は、物理データチャネル上で伝達される、方法。
【請求項８】
請求項１に記載の方法であって、前記第１のシンボルはデータも伝達する、方法。
【請求項９】
請求項１に記載の方法であって、前記制御情報は、参照シンボルで変調されていない１つ以上の予約されたリソースエレメントにおいて伝達される、方法。
【請求項１０】
ノード（１１０、１１５）における方法であって、
第１のシンボル（３１０Ａ、５１０Ａ）と第２のシンボル（３１０Ｂ、５１０Ｂ）を含む第１のサブフレーム（３０５、４０５、５０５）を受信すること（８０４）であって、前記第１と第２のシンボルのそれぞれは複数のリソースエレメントを含み、前記第１のシンボルにおける前記複数のリソースエレメントの１つ以上は参照信号（３３５Ａ〜Ｇ、４３４Ａ〜Ｇ、５３５Ａ〜Ｇ）に対して予約され、前記第１のシンボルは制御情報（３２５、４２５Ａ、４２５Ｂ、５２５）を伝達し、前記第２のシンボルはデータ送信（３３０、４３０Ａ、４３０Ｂ、５３０）を伝達する、ことと、
前記第１のシンボルにおいて伝達された前記制御情報を復号化すること（８０８）と、
前記復号化された制御情報からスケジューリング情報を取得することであって、前記スケジューリング情報は、周波数領域における前記データ送信の位置を示す、ことと、
周波数領域における前記データ送信の前記位置に基づいて、前記第１のシンボルにおける前記１つ以上の予約されたリソースエレメントのどれが参照シンボル（３３５Ｂ〜Ｄ、４３５Ｂ〜Ｄ、５３５Ｂ〜Ｄ）で変調されているかを決定すること（８１６）と、
参照シンボルで変調されている、前記第１のシンボルにおける前記１つ以上の予約されたリソースエレメントを用いてチャネル推定を行うこと（８２０）、を含む方法。
【請求項１１】
請求項１０に記載の方法であって、参照シンボルで変調されている、前記第１のシンボルにおける前記１つ以上の予約されたリソースエレメントは、前記第２のシンボルにおいて伝達された前記データ送信と周波数領域で重なる前記１つ以上の予約されたリソースエレメントのサブセットを含む、方法。
【請求項１２】
請求項１０に記載の方法であって、
複数のシンボルを含む第２のサブフレーム（４０５Ｂ）を受信することであって、前記第１のサブフレームの前記第２のシンボルにおいて伝達された前記データ送信は、前記第２のサブフレームの前記複数のシンボルの少なくとも１つを時間領域で横断するサブフレームアグリゲートデータ送信であり、
前記サブフレームアグリゲートデータ送信内の前記複数のシンボルのどれが参照信号を含むかを示す情報を取得することを含む、方法。  
【請求項１３】
請求項１０に記載の方法であって、前記第１のサブフレームは、多入力多出力（ＭＩＭＯ）送信スキームに対する複数の直交参照信号を含む、方法。
【請求項１４】
請求項１０に記載の方法であって、
前記第１と第２のシンボルは、直交周波数分割多重シンボルであり、
前記参照信号は、復調参照信号を含む、方法。
【請求項１５】
請求項１０に記載の方法であって、前記ノードは、
ダウンリンクにおいて動作する無線デバイス、
デバイス・ツー・デバイスのシナリオにおいて動作する無線デバイス、および、
無線自己バックホールのシナリオにおいて動作するネットワークノード、のいずれかを含む、方法。
【請求項１６】
請求項１０に記載の方法であって、前記制御情報は、物理ダウンリンク制御チャネル上で伝達され、前記データ送信は、物理データチャネル上で伝達される、方法。
【請求項１７】
請求項１０に記載の方法であって、前記第１のシンボルはデータも伝達する、方法。
【請求項１８】
請求項１０に記載の方法であって、前記制御情報は、参照シンボルで変調されていない１つ以上の予約されたリソースエレメントにおいて伝達され、前記制御情報を復号化することは、
前記制御情報が前記第１のシンボルにおける前記１つ以上の予約されたリソースエレメント周辺にマッピングされるように復号化を行うことと、
前記制御情報が参照シンボルで変調されていない前記１つ以上の予約されたリソースエレメントにマッピングされるように復号化を行うことを含む、方法。
【請求項１９】
請求項１０に記載の方法であって、参照シンボルで変調されている、前記第１のシンボルにおける前記１つ以上の予約されたリソースエレメントを用いてチャネル推定を行うことは、
参照シンボルで変調されている、前記第１のシンボルにおける前記１つ以上の予約されたリソースエレメントを用いて前記データ送信を復号化することを含む、方法。
【請求項２０】
ノード（１１０、１１５）であって、
１つ以上のプロセッサ（９２０、１０２０）を有し、前記１つ以上のプロセッサは、
少なくとも第１のサブフレーム（３０５、４０５、５０５）を含むフレーム構成を生成し（７０４）、ここで、前記第１のサブフレームは、第１のシンボル（３１０Ａ、５１０Ａ）と第２のシンボル（３１０Ｂ、５１０Ｂ）を含み、前記第１と第２のシンボルのそれぞれは、複数のリソースエレメントを含み、前記第１のシンボルは、制御情報（３２５、４２５Ａ、４２５Ｂ、５２５）を伝達し、前記第２のシンボルはデータ送信（３３０、４３０Ａ、４３０Ｂ、５３０）を伝達し、
参照信号（３３５Ａ〜Ｇ、４３５Ａ〜Ｇ、５３５Ａ〜Ｇ）に対して、前記第１のシンボルにおける前記複数のリソースエレメントの１つ以上を予約し（７０８）、
前記第１のシンボルにおける前記予約されたリソースエレメントの１つ以上を、参照シンボル（３３５Ｂ〜Ｄ、４３５Ｂ〜Ｄ、５３５Ｂ〜Ｄ）で変調し（７１２）、ここで、変調された、前記第１のシンボルにおける前記予約されたリソースエレメントの１つ以上は、周波数領域において、前記第２のシンボルにおいて伝達された前記データ送信と重なる前記１つ以上の予約されたリソースエレメントのサブセットを含み、
前記少なくとも１つのサブフレームを別のノードに送信する（７１６）、ように構成される、ノード。
【請求項２１】
請求項２０に記載のノードであって、
前記フレーム構成は、更に、複数のシンボルを含む第２のサブフレーム（４０５Ｂ）を含み、
前記第１のサブフレームの前記第２のシンボルにおいて伝達される前記データ送信は、時間領域で、前記第２のサブフレームの前記複数のシンボルの少なくとも１つを横断する、サブフレームアグリゲートデータ送信（４３０Ａ）であり、
前記１つ以上のプロセッサは、前記サブフレームアグリゲートデータ送信内の前記複数のシンボルのどれが参照信号を含むかを示す情報を通信するように構成される、ノード。  
【請求項２２】
請求項２０に記載のノードであって、前記１つ以上のプロセッサは、多入力多出力（ＭＩＭＯ）送信スキームに対する複数の直交参照信号を作成するように構成される、ノード。
【請求項２３】
請求項２２に記載のノードであって、前記ＭＩＭＯ送信に対する複数の直交参照信号を作成するように構成される前記１つ以上のプロセッサは、
参照信号を分離するために周波数分割多重を使用すること、
参照信号を分離するために符号分割多重を使用すること、
前記第１のシンボルにおいて参照シンボルで変調された前記予約されたリソースエレメントと、前記第２のシンボルにおける前記複数のリソースエレメントの１つ以上との間の直交カバーコードを使用すること、の１つ以上を実行するように構成される、ノード。
【請求項２４】
請求項２０に記載のノードであって、
前記第１と第２のシンボルは、直交周波数分割多重シンボルであり、
前記参照信号は、復調参照信号を含む、ノード。
【請求項２５】
請求項２０に記載のノードであって、前記ノードは、
ネットワークノード（１１５）、および、
デバイス・ツー・デバイスのシナリオにおいて動作する無線デバイス（１１０）、のいずれかを含む、ノード。 
【請求項２６】
請求項２０に記載のノードであって、前記制御情報は、物理ダウンリンク制御チャネル上で伝達され、前記データ送信は、物理データチャネル上で伝達される、ノード。
【請求項２７】
請求項２０に記載のノードであって、前記第１のシンボルはデータも伝達する、ノード。
【請求項２８】
請求項２０に記載のノードであって、前記制御情報は、参照シンボルで変調されていない１つ以上の予約されたリソースエレメントにおいて伝達される、ノード。
【請求項２９】
ノード（１１０、１１５）であって、
１つ以上のプロセッサ（９２０、１０２０）を有し、前記１つ以上のプロセッサは、
第１のシンボル（３１０Ａ、５１０Ａ）と第２のシンボル（３１０Ｂ、５１０Ｂ）を含む第１のサブフレーム（３０５、４０５、５０５）を受信し、ここで、前記第１と第２のシンボルのそれぞれは複数のリソースエレメントを含み、前記第１のシンボルにおける前記複数のリソースエレメントの１つ以上は参照信号（３３５Ａ〜Ｇ、４３４Ａ〜Ｇ、５３５Ａ〜Ｇ）に対して予約され、前記第１のシンボルは制御情報（３２５、４２５Ａ、４２５Ｂ、５２５）を伝達し、前記第２のシンボルはデータ送信（３３０、４３０Ａ、４３０Ｂ、５３０）を伝達し、
前記第１のシンボルにおいて伝達された前記制御情報を復号化し（８０８）、
前記復号化された制御情報からスケジューリング情報を取得し（８１２）、ここで、前記スケジューリング情報は、周波数領域における前記データ送信の位置を示し、
周波数領域における前記データ送信の前記位置に基づいて、前記第１のシンボルにおける前記１つ以上の予約されたリソースエレメントのどれが参照シンボル（３３５Ｂ〜Ｄ、４３５Ｂ〜Ｄ、５３５Ｂ〜Ｄ）で変調されているかを決定し（８１６）、
参照シンボルで変調されている、前記第１のシンボルにおける前記１つ以上の予約されたリソースエレメントを用いてチャネル推定を行う（８２０）、ように構成される、ノード。
【請求項３０】
請求項２９に記載のノードであって、参照シンボルで変調されている、前記第１のシンボルにおける前記１つ以上の予約されたリソースエレメントは、前記第２のシンボルにおいて伝達された前記データ送信と周波数領域で重なる前記１つ以上の予約されたリソースエレメントのサブセットを含む、ノード。
【請求項３１】
請求項２９に記載のノードであって、前記１つ以上のプロセッサは、
複数のシンボルを含む第２のサブフレーム（４０５Ｂ）を受信し、ここで、前記第１のサブフレームの前記第２のシンボルにおいて伝達された前記データ送信は、前記第２のサブフレームの前記複数のシンボルの少なくとも１つを時間領域で横断するサブフレームアグリゲートデータ送信（４３０Ａ）であり、
前記サブフレームアグリゲートデータ送信内の前記複数のシンボルのどれが参照信号を含むかを示す情報を取得する、ように構成される、ノード。  
【請求項３２】
請求項２９に記載のノードであって、前記第１のサブフレームは、多入力多出力（ＭＩＭＯ）送信スキームに対する複数の直交参照信号を含む、ノード。
【請求項３３】
請求項２９に記載のノードであって、
前記第１と第２のシンボルは、直交周波数分割多重シンボルであり、
前記参照信号は、復調参照信号を含む、ノード。
【請求項３４】
請求項２９に記載のノードであって、前記ノードは、
ダウンリンクにおいて動作する無線デバイス（１１０）、
デバイス・ツー・デバイスのシナリオにおいて動作する無線デバイス、および、
無線自己バックホールのシナリオにおいて動作するネットワークノード（１１５）のいずれかを含む、ノード。
【請求項３５】
請求項２９に記載のノードであって、前記制御情報は、物理ダウンリンク制御チャネル上で伝達され、前記データ送信は、物理データチャネル上で伝達される、ノード。
【請求項３６】
請求項２９に記載のノードであって、前記第１のシンボルはデータも伝達する、ノード。
【請求項３７】
請求項２９に記載のノードであって、前記制御情報は、参照シンボルで変調されていない１つ以上の予約されたリソースエレメントにおいて伝達され、前記制御情報を復号化するように構成された前記１つ以上のプロセッサは、
前記制御情報が前記第１のシンボルにおける前記１つ以上の予約されたリソースエレメント周辺にマッピングされるように復号化を行い、
前記制御情報が参照シンボルで変調されていない前記１つ以上の予約されたリソースエレメントにマッピングされるように復号化を行うように構成される、ノード。
【請求項３８】
請求項２９に記載のノードであって、参照シンボルで変調されている、前記第１のシンボルにおける前記１つ以上の予約されたリソースエレメントを用いてチャネル推定を行うように構成された前記１つ以上のプロセッサは、
参照シンボルで変調されている、前記第１のシンボルにおける前記１つ以上の予約されたリソースエレメントを用いて前記データ送信を復号化するように構成される１つ以上のプロセッサを有する、ノード。
【発明の詳細な説明】
【技術分野】
【０００１】
本開示は、一般的には無線通信に関し、具体的には参照信号パターンに関する。
【背景技術】
【０００２】
リリース１４では、第３世代パートナーシッププロジェクト（３ＧＰＰ）における５Ｇの作業が開始されるだろう。５Ｇは、ロングタームエヴォリューション（ＬＴＥ）とともに、以下で“ＮＲ”と称されるnew radio-access technologyから構成されるだろう。
【０００３】
図１は、ＮＲに対する例示的な提案フレーム構成を示す。具体的には、図１は、（提案フレーム構成とＤＬ制御チャネル構成の）２つのダウンリンク（ＤＬ）のサブフレーム５Ａと５Ｂを示す。サブフレーム５Ａと５Ｂのそれぞれは、いくつかの直交周波数分割多重（ＯＦＤＭ）シンボル１０を含む。サブフレーム５Ａは、第１のＯＦＤＭシンボル１０Ａ、第２のＯＦＤＭシンボル１０Ｂ、第２のＯＦＤＭシンボル１０Ｃ、および第４のＯＦＤＭシンボル１０Ｄを含む。同様に、サブフレーム５Ｂは、第１のＯＦＤＭシンボル１０Ｅ、第２のＯＦＤＭシンボル１０Ｆ、第２のＯＦＤＭシンボル１０Ｇ、および第４のＯＦＤＭシンボル１０Ｈを含む。図１はＮＲに対する１つの例示的な提案フレーム構成を示すが、他のフレーム構成であってもよい。ＮＲに対する他の可能性のあるフレーム構成によれば、サブフレーム５Ａと５Ｂのそれぞれは、適切な数のシンボルを含み得る。１つの例として、サブフレーム５のそれぞれは７個のシンボルを含み得る。他の例として、サブフレーム５のそれぞれは１４個のシンボルを含み得る。
【０００４】
サブフレーム５Ａは、制御領域１５Ａとデータ領域２０Ａに分割される。図１の例では、制御領域１５Ａは、制御情報を含む第１のシンボル１０Ａを含む。データ領域２０Ａは、それぞれがデータを含む第１、第２、および第３のＯＦＤＭシンボル１０Ｂ、１０Ｃ、および１０Ｄを含む。同様に、サブフレーム５Ｂは、制御領域１５Ｂとデータ領域２０Ｂに分割される。図１の例では、制御領域１５Ｂは、制御情報を含む第１のシンボル１０Ｅを含む。データ領域２０Ｂは、それぞれがデータを含む第２、第３、および第４のＯＦＤＭシンボル１０Ｆ、１０Ｇ、および１０Ｈを含む。
【０００５】
図１に示すような提案フレーム構成およびＤＬ制御チャネル構成では、サブフレーム５Ａの制御領域１５Ａは、物理ダウンリンク制御チャネル（ＰＤＣＣＨ）２５Ａおよび２５Ｂを含む。同様に、サブフレーム５Ｂの制御領域１５Ｂは、ＰＤＣＣＨ２５Ｃを含む。図１の例は、サブフレーム５Ａの制御領域１５Ａにおける２つのＰＤＣＣＨと、サブフレーム５Ｂの制御領域１５Ｂにおける単一のＰＤＣＣＨを示すが、制御領域１５Ａと１５Ｂは、あらゆる適切な数のＰＤＣＣＨを含み得る。いくつかのケースでは、制御領域１５Ａおよび１５Ｂは、０、１、２、またはそれより多いＰＤＣＣＨを含み得る。図１の例は、それぞれが単一のＯＦＤＭシンボルを有するような制御領域１５Ａと１５Ｂを示すが、１つ以上のＯＦＤＭシンボルから構成される制御領域であっても良い。制御領域１５Ａと１５Ｂそれぞれにおいて制御情報を有するＯＦＤＭシンボル１０Ａと１０Ｅに続いて、データ領域２０Ａと２０Ｂが開始する。サブフレーム５Ａに関して、データ領域２０Ａは、図１においてＰＤＣＣＨ２５Ａと同じパターンがＰＤＣＨ３０Ａにおいて使用されることにより示されるように、ＰＤＣＣＨ２５Ａに対応する物理データチャネル（ＰＤＣＨ）３０Ａを含む。ＰＤＣＨ３０Ａは、ＰＤＣＣＨ２５Ａによりスケジュールされる。データ領域２０Ａはまた、図１においてＰＤＣＣＨ２５Ｂと同じパターンがＰＤＣＨ３０Ｂにおいて使用されていることにより示されるように、ＰＤＣＣＨ２５Ｂに対応するＰＤＣＨ３０Ｂを含む。ＰＤＣＨ３０Ｂは、ＰＤＣＣＨ２５Ｂによりスケジュールされる。図１の例では、ＰＤＣＨ３０Ａは、サブフレーム５Ａからサブフレーム５ＢへＯＦＤＭシンボル１０Ｂ〜１０Ｈを横断するサブフレームアグリゲートであり、一方、ＰＤＣＨ３０Ｂは、ＯＦＤＭシンボル１０Ｂ〜１０Ｄに渡るサブフレーム５Ａ内に、全てが含まれる。制御情報を伝達する制御領域１５Ａおよび１５ＢのＯＦＤＭシンボル１０Ａと１０Ｅがデータも伝達することができるかについては、更なる検討課題である。
【０００６】
１つの特定のユーザへのＰＤＣＣＨは、ＯＦＤＭサブキャリアのサブセット上で伝達される。ＰＤＣＣＨのマッピングは、分散的（distributed）または局所的（localized）のいずれかであり得る。（簡単化のために、図１においてＰＤＣＣＨ２５Ａおよび２５Ｂは局所的である。）ＰＤＣＣＨは、他のもののうち、同じサブフレームでのＤＬリソースを示すＤＬスケジューリング情報を伝達し、また、（サブフレームアグリゲートとして対応するＰＤＣＨ３０ＡがスケジュールされているＰＤＣＣＨ２５Ａのケースのように、）サブフレームアグリゲーションの場合に一連のサブフレームも伝達することができる。図１の例では、第３のＰＤＣＣＨ２５Ｃは、サブフレーム５Ｂの制御領域１５Ｂの第１のＯＦＤＭシンボル１０Ｅにおいて示される。ＰＤＣＣＨ２５Ｃは、対応するＤＬ  ＰＤＣＨ（すなわち、アップリンク（ＵＬ）グラント）無しで示される。ユーザ装置（ＵＥ）は、自分宛てのＰＤＣＣＨを検出し、スケジューリング情報からＰＤＣＨ関連の情報を導出する。ＵＥは、他のＵＥへのＰＤＣＣＨ送信に気づかない。
【０００７】
ダウンリンク参照信号（主に復調参照信号（ＤＭＲＳ）であるが、他の種類の参照信号も可能である）は、受信機が早くチャネル推定を行い、それにより復号化の時間を削減するために、サブフレームにおいて早く送信されるべきである。ＵＥは他のＵＥへのＰＤＣＣＨ送信に気づいていないため、第１のＯＦＤＭシンボル（すなわち、サブフレーム５ＡのＯＦＤＭシンボル１０Ａまたはサブフレーム５ＢのＯＦＤＭシンボル１０Ｅ）におけるどのサブキャリアが変調されているかを知らない。ＰＤＣＨは、ＵＥが気づいていない他のユーザのＰＤＣＣＨの周辺にマッピングされる必要があるため、サブフレームの第１のＯＦＤＭシンボルにＰＤＣＨをマッピングすることは容易ではない。同じことは参照信号に対して適用される。加えて、参照信号は、ＵＥが気づいていない他のユーザのＰＤＣＣＨの周辺にマッピングされる必要がある。これにより、周波数領域での潜在的な大きな「穴（holes）」を伴う、等しくなく配置された参照信号となる。現存するアプローチは、ＰＤＣＨと、第２のＯＦＤＭシンボルで始まる参照信号（例えば、図２の例における第２のシンボル１０Ｂ）または制御領域が長い場合は制御領域の後のＯＦＤＭシンボルを、マッピングする。サブフレームの最初で参照信号を送信しないことはまた、受信機がチャネル推定を行うことができる時間を遅らせ、それにより、復号化を遅らせる。
【発明の概要】
【０００８】
現存のアプローチで前述の問題を解決するために、ノードにおける方法が開示される。方法は、少なくとも第１のサブフレームを含むフレーム構成を生成することを含む。ここで、第１のサブフレームは、第１のシンボルと第２のシンボルを含み、第１と第２のシンボルのそれぞれは、複数のリソースエレメントを含む。第１のシンボルは、制御情報を伝達し、第２のシンボルはデータ送信を伝達する。方法は、参照信号に対して、第１のシンボルにおいて複数のリソースエレメントの１つ以上を予約することと、第１のシンボルにおける１つ以上の予約されたリソースエレメントを参照シンボルで変調することを含む。変調された１つ以上の予約されたリソースエレメントは、第２のシンボルにおいて伝達されたデータ送信と周波数領域で重なる１つ以上の予約されたリソースエレメントのサブセットを含む。方法は、少なくとも１つのサブフレームを別のノードに送信することを含む。
【０００９】
ある実施形態では、ノードは、ネットワークノード、デバイス・ツー・デバイスシナリオにおいて動作する無線デバイスのいずれかを含み得る。第１と第２のシンボルは、直交周波数分割多重シンボルであり得る。参照信号は、復調参照信号を含み得る。制御情報は、物理ダウンリンク制御チャネル上で伝達され、データ送信は、物理データチャネル上で伝達される。制御情報は、参照シンボルで変調されていない１つ以上の予約されたリソースエレメントにおいて伝達され得る。第１のシンボルは、データも伝達し得る。
【００１０】
ある実施形態では、フレーム構成は、更に、複数のシンボルを含む第２のサブフレームを含む。第１のサブフレームの第２のシンボルにおいて伝達されるデータ送信は、時間領域で、第２のサブフレームの複数のシンボルの少なくとも１つを横断する、サブフレームアグリゲートデータ送信であり得る。方法は、サブフレームアグリゲートデータ送信内の複数のシンボルのどれが参照信号を含むかを示す情報を通信することを含み得る。
【００１１】
ある実施形態では、方法は、多入力多出力（ＭＩＭＯ）送信スキームに対する複数の直交参照信号を作成することを含み得る。ＭＩＭＯ送信スキームに対して複数の直交参照信号を作成することは、参照信号を分離するために周波数分割多重を用いること、第１のシンボルにおける参照シンボルで変調された予約されたリソースエレメントと第２のシンボルにおける１つ以上の複数のリソースエレメントとの間の直交カバーコードを使用することの、１つ以上を含む。
【００１２】
ノードも開示される。ノードは、１つ以上のプロセッサを有する。１つ以上のプロセッサは、少なくとも第１のサブフレームを含むフレーム構成を生成するように構成される。第１のサブフレームは、第１のシンボルと第２のシンボルを含み、第１と第２のシンボルのそれぞれは、複数のリソースエレメントを含み、第１のシンボルは制御情報を伝達し、第２のシンボルはデータ送信を伝達する。１つ以上のプロセッサは、参照信号に対する第１のシンボルにおける複数のリソースエレメントの１つ以上を予約するように構成される。１つ以上のプロセッサは、第１のシンボルにおける予約されたリソースエレメントの１つ以上を、参照シンボルで変調するように構成される。ここで、第１のシンボルにおける変調された１つ以上の予約されたリソースエレメントは、周波数領域において、第２のシンボルにおいて伝達されたデータ送信と重なる１つ以上の予約されたリソースエレメントのサブセットを含む。１つ以上のプロセッサは、少なくとも１つのサブフレームを別のノードに送信するように構成される。
【００１３】
ノードにおける方法も開示される。方法は、第１のシンボルと第２のシンボルを含む第１のサブフレームを受信することを含む。第１と第２のシンボルのそれぞれは複数のリソースエレメントを含み、第１のシンボルにおける複数のリソースエレメントの１つ以上は参照信号に対して予約され、第１のシンボルは制御情報を伝達し、第２のシンボルはデータ送信を伝達する。方法は、第１のシンボルにおいて伝達された制御情報を復号化することと、復号化された制御情報からスケジューリング情報を取得することを含み、スケジューリング情報は周波数領域におけるデータ送信の位置を示す。方法は、周波数領域におけるデータ送信の位置に基づいて、第１のシンボルにおける予約されたリソースエレメントのうちどれが参照シンボルで変調されるかを決定することと、参照シンボルで変調された第１のシンボルにおける１つ以上の予約されたリソースエレメントを用いてチャネル推定を行うことを含む。
【００１４】
ある実施形態では、第１と第２のシンボルは、直交周波数分割多重シンボルであり、参照信号は復調参照信号を含み得る。ノードは、ダウンリンクにおいて動作する無線デバイス、デバイス・ツー・デバイスのシナリオで動作する無線デバイス、および、無線自己バックホール（wireless self-backhaul）のシナリオにおいて動作するネットワークノード、のうちのいずれかを含む。制御情報は、物理ダウンリンク制御チャネル上で伝達され、データ送信は、物理データチャネル上で伝達され得る。第１のシンボルは、データも伝達し得る。ある実施形態では、参照シンボルで変調されている、第１のシンボルにおける１つ以上の予約されたリソースエレメントは、第２のシンボルにおいて伝達されたデータ送信と周波数領域で重なる１つ以上の予約されたリソースエレメントのサブセットを含み得る。
【００１５】
ある実施形態では、方法は、複数のシンボルを含む第２のサブフレームを受信することを含み得る。第１のサブフレームの第２のシンボルにおいて伝達されたデータ送信は、第２のサブフレームの複数のシンボルの少なくとも１つを時間領域で横断するサブフレームアグリゲートデータ送信であり得る。方法は、サブフレームアグリゲートデータ送信内の複数のシンボルのどれが参照信号を含むかを示す情報を取得することを含み得る。ある実施形態では、第１のサブフレームは、多入力多出力（ＭＩＭＯ）送信スキームに対する複数の直交参照信号を含み得る。
【００１６】
ある実施形態では、制御情報は、参照シンボルで変調されていない１つ以上の予約されたリソースエレメントにおいて伝達され得る。制御情報を復号化することは、制御情報が第１のシンボルにおける１つ以上の予約されたリソースエレメントの周辺にマッピングされるように復号化を行うこと、および、制御情報が参照シンボルで変調されていない１つ以上の予約されたリソースエレメントにマッピングされるように復号化を行うこと、を含み得る。
【００１７】
ある実施形態では、参照シンボルで変調された第１のシンボルにおける１つ以上の予約されたリソースエレメントを用いてチャネル推定を行うことは、参照シンボルで変調されている第１のシンボルにおける１つ以上の予約されたリソースエレメントを用いてデータ送信を復号化することを含み得る。
【００１８】
ノードも開示される。ノードは、１つ以上のプロセッサを有する。１つ以上のプロセッサは、第１のシンボルと第２のシンボルを含む第１のサブフレームを受信するように構成される。ここで、第１と第２のシンボルのそれぞれは複数のリソースエレメントを含み、複数のリソースエレメントの１つ以上は参照信号に対して予約され、第１のシンボルは制御情報を伝達し、第２のシンボルはデータ送信を伝達する。１つ以上のプロセッサは、第１のシンボルにおいて伝達される制御情報を復号化するように構成される。１つ以上のプロセッサは、復号化された制御情報からスケジューリング情報を取得するように構成される。ここで、スケジューリング情報は、周波数領域におけるデータ送信の位置を示す。１つ以上のプロセッサは、周波数領域におけるデータ送信の位置に基づいて、第１のシンボルにおける予約されたリソースエレメントのうちどれが参照シンボルで変調されるかを決定し、参照シンボルで変調された第１のシンボルにおける１つ以上の予約されたリソースエレメントを用いてチャネル推定を行うように構成される。
【００１９】
本開示のある実施形態は、１つ以上の技術的な利点を提供し得る。例えば、ある実施形態は、第１のシンボルにおいて参照信号を送信し、それ以外では制御情報の送信に使用されることを有利に可能とする。別の例として、ある実施形態は、リソースの利用性を有利に高め得る。更に別の例として、ある実施形態は、チャネル推定は第１のシンボルが受信された後に実行することが可能であることから、復号化の遅延を有利に遅延させることができる。他の利点は、当業者により容易に明らかにされ得る。ある実施形態は、記載する利点の全て、または、いくつかを有するか、有さない可能性がある。
【図面の簡単な説明】
【００２０】
開示する実施形態およびそれらの特徴おより利点をより完全に理解するために、添付の図面と関連してもたらされる以下の説明が参照される。
【図１】図１は、ＮＲに対する例示的な提案サブフレーム構成を示す。
【図２】図２は、ある実施形態に従う、無線通信ネットワークの概略図である。
【図３】図３は、ある実施形態に従う、第１のＯＦＤＭシンボルが参照シンボルに対して予約されたリソースエレメントを含む、サブフレームを示す。
【図４】図４は、ある実施形態に従う、複数のサブフレームが視覚的である、図３の一般化を示す。
【図５】図５は、ある実施形態に従う、第１のＯＦＤＭシンボルにおける使用され予約されたリソースエレメントと、第２のＯＦＤＭシンボルにおけるリソースエレメントとの間の直交カバーコードを示す。
【図６】図６は、ある実施形態に従う、信号フロー図を示す。
【図７】図７は、ある実施形態に従う、ノードにおける方法のフローチャートである。
【図８】図８は、ある実施形態に従う、ノードにおける方法のフローチャートである。
【図９】図９は、ある実施形態に従う、例示的な無線デバイスの概略ブロック図である。
【図１０】図１０は、ある実施形態に従う、例示的なネットワークノードの概略ブロック図である。
【図１１】図１１は、ある実施形態に従う、例示的な無線ネットワークコントローラまたはコアネットワークノードの概略ブロック図である。
【図１２】図１２は、ある実施形態に従う、例示的な無線デバイスの概略ブロック図である。
【図１３】図１３は、ある実施形態に従う、例示的なネットワークノードの概略ブロック図である。
【発明を実施するための形態】
【００２１】
上述したように、ＵＥは他のＵＥへのＰＤＣＣＨ送信に気づいていないため、ＵＥは、サブフレームの第１のＯＦＤＭシンボルにおけるどのサブキャリアが変調されているかを知ることができない。ＰＤＣＨを第１のＯＦＤＭシンボルにマッピングすることは、容易ではない。これは、ＵＥが気づいていない他のユーザのＰＤＣＣＨの周辺にＰＤＣＨがマッピングされる必要があるからである。同じ問題は参照信号に対して適用される。ＰＤＣＨと第２のＯＦＤＭシンボルから開始する参照信号をマッピングする現存のアプローチは、ある欠点を有する。例えば、サブフレームの最初で参照信号を送信しないことは、受信機がチャネル推定を行うことができる時間を遅らせ、それにより、復号化を遅らせる。
【００２２】
本開示では、現存のアプローチに関連するこれらおよび他の欠点を解決する種々の実施形態を考える。ある実施形態では、これは、制御情報を伝達するＯＦＤＭシンボルにおいて定義される予約されたリソースエレメントパターンを用いて達成される。いくつかのケースでは、サブフレームにおける第１のＯＦＤＭシンボルは、参照信号に対して予約されたリソースエレメント（すなわち、サブキャリア）のパターンを含む。ＰＤＣＨがサブフレームにおいて送信される場合、同じサブフレームで周波数領域でＰＤＣＨと重なる予約されたリソースエレメントは、参照シンボルで変調される。ＵＥは、ＰＤＣＣＨを復号化し、数ある中で、ＰＤＣＨの周波数位置を含むスケジューリング情報を取得する。ＵＥは、周波数でそのＰＤＣＨ割り当てと重なる第１のＯＦＤＭシンボルにおけるそれらの予約されたリソースエレメントにおいて参照シンボルが送信されると想定することができる。
【００２３】
１つの例の実施形態によれば、ノードにおける方法が開示される。ある実施形態では、ノードは無線デバイス（ＵＥ等）またはネットワークノードであり得る。ノードは、少なくとも第１のサブフレームを含むフレーム構成を生成する。第１のサブフレームは、第１のシンボルと第２のシンボルを含む。第１と第２のシンボルのそれぞれは、複数のリソースエレメントを含む。第１のシンボルは制御情報を伝達し、第２のシンボルはデータ送信を伝達する。ノードは、参照シンボルに対する第１のシンボルにおいて複数のリソースエレメントの１つ以上を予約し、第１のシンボルにおける予約されたリソースエレメントの１つ以上を、参照シンボルで変調する。変調されている、第１のシンボルにおける予約されたリソースエレメントの１つ以上は、第２のシンボルにおいて伝達されたデータ送信と周波数領域で重なる１つ以上の予約されたリソースエレメントのサブセットを含む。ノードは、少なくとも１つのサブフレームを別のノードに送信する。
【００２４】
別の例の実施形態によれば、ノードにおける方法が開示される。ある実施形態では、ノードは無線デバイス（ＵＥ等）またはネットワークノードであり得る。ノードは、第１のシンボルと第２のシンボルを含む第１のサブフレームを受信する。第１と第２のシンボルのそれぞれは、複数のリソースエレメントを含む。第１のシンボルにおける複数のリソースエレメントの１つ以上は、参照信号に対して予約される。第１のシンボルは制御情報を伝達し、第２のシンボルはデータ送信を伝達する。ノードは、第１のシンボルにおいて伝達された制御情報を復号化し、復号化された制御情報からスケジューリング情報を取得する。スケジューリング情報は、周波数領域における、データ送信の位置を示す。ノードは、周波数領域におけるデータ送信の位置に基づいて、第１のシンボルにおける１つ以上の予約されたリソースエレメントのどれが参照シンボルで変調されているかを決定する。ノードは、参照シンボルで変調されている第１のシンボルにおける１つ以上の予約されたリソースエレメントを用いて１つ以上の動作を行う。１つの例として、ノードは、参照シンボルで変調されている第１のシンボルにおける１つ以上の予約されたリソースエレメントを用いてデータ送信を復号化し得る。別の例として、ノードは、参照シンボルで変調されている第１のシンボルにおける１つ以上の予約されたリソースエレメントを用いてチャネル推定を行い得る。
【００２５】
ここに記載する種々の実施形態は、受信機がチャネル推定を行う時間を遅延させ、それにより復号化を遅らせる現存のアプローチに関連する欠点を解決し得る。例えば、ある実施形態は、第１のＯＦＤＭシンボルにおいて参照信号を送信し、それ以外ではＰＤＣＣＨの送信に使用されることを、有利に可能とし得る。これにより、リソースの利用性が有利に増大し、チャネル推定を第１のシンボルが受信された後に行うことができるため、受信機において復号化の遅延を削減することができる。
【００２６】
図２は、ある実施形態に従う、無線通信ネットワーク１００の概略図である。ネットワーク１００は、１つ以上のＵＥ１１０（無線デバイス１１０と同じ意味に参照され得る）と、ネットワークノード１１５（ｅＮｏｄｅＢ（ｅＮＢ）１１５と同じ意味に参照され得る）とを含む。ＵＥ１１０は、無線インタフェースを介して、ネットワークノード１１５と通信し得る。例えば、ＵＥ１１０Ａは、無線信号を１つ以上のネットワークノード１１５に送信し、および／または、ネットワークノード１１５の１つ以上から無線信号を受信し得る。無線信号は、音声トラフィック、データトラフィック、制御信号、および／または、あらゆる他の適切な情報を含み得る。いくつかの実施形態では、ネットワークノード１１５に関連付けられた無線信号カバレッジのエリアは、セルと称され得る。いくつかの実施形態では、ＵＥ１１０は、Ｄ２Ｄ機能を有する。したがって、ＵＥ１１０は、直接的に、別のＵＥから信号を受信し、および／または、別のＵＥへ信号を送信することが可能であり得る。例えば、ＵＥ１１０Ａは、ＵＥ１１０Ｂから信号を受信し、および／または、ＵＥ１１０Ｂへ信号を送信することが可能であり得る。
【００２７】
ある実施形態では、ネットワークノード１１５は、無線ネットワークコントローラと結合され得る。無線ネットワークコントローラは、ネットワークノード１１５を制御し、特定の無線リソース管理機能、モビリティ管理機能、および／または、適切な機能を提供し得る。ある実施形態では、無線ネットワークコントローラの当該機能は、ネットワークノード１１５により実行され得る。無線ネットワークコントローラは、コアネットワークノードと結合され得る。ある実施形態では、無線ネットワークコントローラは、相互接続ネットワークを介して、コアネットワークノードと結合され得る。相互接続ネットワークは、音声、ビデオ、信号、データ、メッセージ、またはそれらのあらゆる組み合わせを送信することができる、あらゆる相互接続システムを参照し得る。相互接続ネットワークは、公衆回線電話ネットワーク（ＰＳＴＮ）、公衆または私的なデータネットワーク、ローカルエリアネットワーク（ＬＡＮ）、メトロポリタンエリアネットワーク（ＭＡＮ）、広域ネットワーク（ＷＡＮ）、局所的、地域的、またはグローバルな通信またはインターネット等のコンピュータネットワーク、有線または無線のネットワーク、エンタープライズイントラネット、または、それらの組み合わせを含む、あらゆる他の適切な通信リンクであり得る。
【００２８】
いくつかの実施形態では、コアネットワークノードは、通信セッションの確立と、ＵＥ１１０に対する種々の他の機能性を管理する。ＵＥ１１０は、非アクセス層レイヤを用いて、コアネットワークノードと特定の信号を交換し得る。非アクセス層シグナリングにおいて、ＵＥ１１０とコアネットワークノードとの間の信号は、無線アクセスネットワークを介して、透過的に通過する。ある実施形態において、ネットワークノード１１５は、中間ノードのインタフェースを介して、１つ以上のネットワークと接続し得る。例えば、ネットワークノード１１５Ａと１１５Ｂは、Ｘ２インタエースを介して結合し得る。
【００２９】
いくつかの実施形態では、非限定的な用語である「ＵＥ」が使用される。上述したように、ネットワーク１００の例示的な実施形態は、１つ以上のＵＥ１１０、ＵＥ１１０と（直接的または非直接的に）通信することが可能な１つ以上の異なる種類のネットワークノードを含み得る。ここで説明したＵＥは、ネットワークノード１１５または別のＵＥと無線信号を介して通信することが可能な、あらゆる種類の無線デバイスであり得る。ＵＥ１１０はまた、無線通信デバイス、ターゲットデバイス、デバイス・ツー・デバイス（Ｄ２Ｄ）ＵＥ、マシーンタイプ通信ＵＥ、ＵＥ備えたセンサ／アクチュエータ、ｉＰａｄ、タブレット、移動端末、スマートフォン、ラップトップ組込み装置（ＬＥＥ）、ラップトップ搭載装置（ＬＭＥ）、ＵＳＢドングル、宅内機器（ＣＰＥ）、またはあらゆる他の適切なデバイスであり得る。
【００３０】
また、いくつかの実施形態において、非限定的な一般的用語「ネットワークノード」が使用される。それは、ＮｏｄｅＢ、基地局（ＢＳ）、無線基地局、マルチスタンダード無線（ＭＳＲ）無線ノード（ＭＳＲ  ＢＳ等）、ｅＮｏｄｅＢ、ネットワークコントローラ、無線ネットワークコントローラ（ＲＮＣ）、マルチセル／マルチキャスト協調エンティティ（ＭＣＥ）、基地局コントローラ（ＢＳＣ）、中継ノード、基地局（ＢＴＳ）、アクセスポイント（ＡＰ）、無線アクセスポイント、送信ポイント、送信ノード、遠隔無線ユニット（ＲＲＵ）、遠隔無線ヘッド（ＲＲＨ）、分散アンテナシステム（ＤＡＳ）におけるノード、コアネットワークノード（例えば、ＭＳＣ、ＭＭＥ、ＳＯＮノード、協調ノード等）、Ｏ＆Ｍ、ＯＳＳ、ポジショニングノード（例えば、Ｅ−ＳＭＬＣ）、ＭＤＴ、外部ノード（例えば、第三者ノード、現在のネットワークの外のノード）、またはあらゆる他の適切なネットワークノードを含み得る、あらゆる種類のネットワークであり得る。
【００３１】
ＵＥ１１０、ネットワークノード１１５、および他のネットワークノード（無線ネットワークコントローラまたはコアネットワークノード等）の例の実施形態を、以下の図９〜１３に関連して詳細に説明する。
【００３２】
図２は、ネットワークノード１００の特定の配置を図示しているが、本開示では、ここに説明する種々の実施形態は、あらゆる適切構成を有する様々なネットワークに適用され得ると考える。例えば、ネットワーク１００は、あらゆる適切な数のＵＥ１１０とネットワークノード１１５、並びに、ＵＥ間またはＵＥと別の通信デバイス（有線電話等）との間の通信をサポートするのに適切なあらゆる追加的なエレメントを含み得る。更に、ある実施形態は、ＬＴＥネットワークにおいて実装されるものとして説明されるが、実施形態は、あらゆる適切な通信規格をサポートし、あらゆる適切な構成要素を用いるあらゆる適切な種類の電気通信システムにおいて実装され、また、ＵＥが信号を受信および／または信号を送信するあらゆる無線アクセス技術（ＲＡＴ）またはマルチＲＡＴシステムに適用可能である。例えば、ここに説明する種々の実施形態は、ＮＲ、ＬＴＥ、ＬＴＥアドバンスト、ＵＭＴＳ、ＨＳＰＡ、ＧＳＭ、ｃｄｍａ２０００、ＷｉＭＡＸ、ＷｉＦｉ、別の適切な無線アクセス技術、または１つ以上の無線アクセス技術のあらゆる適切な組み合わせに適用され得る。
【００３３】
上述したように、本開示では、サブフレームの制御領域の第１のＯＦＤＭシンボル等の、制御情報を伝達するＯＦＤＭシンボルにおいて定義された、予約されたリソースエレメントパターンを使用する種々の実施形態を考える。ＰＤＣＨがサブフレームにおいて送信される場合、周波数領域でＰＤＣＨと重なる予約されたリソースエレメントは、参照シンボルで変調される。無線デバイス１１０またはネットワークノード１１５等のノードは、それをあて先としたＰＤＣＣＨを復号し、他のものの中から、ＰＤＣＨの周波数位置を含むスケジューリング情報を取得することができる。ノードは、周波数でそのＰＤＣＨ割り当てと重なる第１のＯＦＤＭシンボルにおけるそれらの予約されたリソースエレメントにおいて参照シンボルが送信されると想定することができる。
【００３４】
例えば、ある実施形態において、ネットワークノード１１５等のノードは、少なくとも第１のサブフレームを有するフレーム構成を生成する。第１のサブフレームは、少なくとも第１のシンボルと第２のシンボルを有する。第１と第２のシンボルは、あらゆる適切な種類のシンボルであり得る。１つの例として、第１と第２のシンボルは、直交周波数分割多重シンボルであり得る。第１と第２のシンボルのそれぞれは、複数のリソースエレメントを有する。第１のシンボルは制御情報を伝達し、第２のシンボルはデータ送信を伝達する。制御情報は、物理ダウンリンク制御チャネル上で伝達され、データ送信は、物理データチャネル上で伝達される。本開示では、第１と第２のシンボルはそれぞれ、制御情報およびデータ送信に加えて、あらゆる適切な種類の情報を伝達することを考える。例えば、ある実施形態において、第１のシンボルは、データも伝達し得る。
【００３５】
ネットワークノード１１５は、参照信号に対して、第１のシンボルにおける複数のリソースエレメントの１つ以上を予約する。参照信号は、あらゆる適切な種類の参照信号であり得る。１つの例として、参照信号は、ＤＭＲＳであり得る。ネットワークノード１１５は、第１のシンボルにおける予約されたリソースエレメントの１つ以上を、参照シンボルで変調する。変調されている、第１のシンボルにおける予約されたリソースエレメントの１つ以上は、第２のシンボルにおいて伝達されたデータ送信と周波数領域で重なる１つ以上の予約されたリソースエレメントのサブセットであり得る。ある実施形態では、ネットワークノード１１５は、参照信号密度をチャネル条件に採用し得る。ネットワークノード１１５は、例えば無線デバイス１１０といった別のノードへ、少なくとも１つのサブフレームを送信する。
【００３６】
別の例示的な実施形態によれば、ノード（ＵＥ等）は、第１のシンボルと第２のシンボルを含む第１のサブフレームを受信する。上述したように、第１と第２のシンボルのそれぞれは、複数のリソースエレメントを含む。第１のシンボルにおける複数のリソースエレメントの１つ以上は、参照信号に対して予約される。第１のシンボルは制御情報を伝達し、第２のシンボルはデータ送信を伝達する。
【００３７】
ＵＥ１１０は、第１のシンボルにおいて伝達された制御情報を復号化し、復号化された制御情報からスケジューリング情報を取得する。スケジューリング情報は、周波数領域における、データ送信の位置を示す。ＵＥ１１０は、周波数領域におけるデータ送信の位置に基づいて、第１のシンボルにおける１つ以上の予約されたリソースエレメントのどれが参照シンボルで変調されているかを決定する。いくつかのケースでは、参照シンボルで変調されている、第１のシンボルにおける１つ以上の予約されたリソースエレメントは、第２のシンボルにおいて伝達されたデータ送信と周波数領域で重なる１つ以上の予約されたリソースエレメントのサブセットを含む。
【００３８】
ＵＥ１１０は、参照シンボルで変調されている、第１のシンボルにおける１つ以上の予約されたリソースエレメントを用いて１つ以上の動作を行う。１つの例として、ＵＥ１１０は、参照シンボルで変調されている、第１のシンボルにおける１つ以上の予約されたリソースエレメントを用いてチャネル推定を行い得る。別の例として、ＵＥ１１０は、参照シンボルで変調されている、第１のシンボルにおける１つ以上の予約されたリソースエレメントを用いてデータ送信を復号化し得る。
【００３９】
ある実施形態では、ネットワークノード１１５によって生成されたフレーム構成は、複数のシンボルをまた有する第２のサブフレームを含み得る。図４に関連して以下に詳細に説明するように、第１のサブフレームの第２のシンボルにおいて伝達されるデータ送信は、時間領域で、第２のサブフレームの複数のシンボルの少なくとも１つを横断する、サブフレームアグリゲートデータ送信であり得る。ネットワークノード１１５は、サブフレームアグリゲートデータ送信内の複数のシンボルのどれが参照信号を含むかを示す情報を通信する。
【００４０】
そのような実施形態では、ＵＥ１１０は、複数のシンボルを有する第２のサブフレームを受信する。第１のサブフレームの第２のシンボルにおいて伝達されるデータ送信は、時間領域で、第２のサブフレームの複数のシンボルの少なくとも１つを横断する、サブフレームアグリゲートデータ送信である。ＵＥ１１０は、サブフレームアグリゲートデータ送信内の複数のシンボルのどれが参照信号を含むかを示す情報を取得する。サブフレームアグリゲートデータ送信内の複数のシンボルのどれが参照信号を含むかを示す情報は、あらゆる適切な方法で取得され得る。例えば、ある実施形態では、ＵＥ１１０は、サブフレームアグリゲートデータ送信内の複数のシンボルのどれが参照信号を含むかを示す情報を、ネットワークノード１１５から受信し得る。
【００４１】
ある実施形態では、ネットワークノード１１５は、ＭＩＭＯ送信スキームに対する複数の直交参照信号を作成する。図５に関連して以下に詳細に説明するように、ネットワークノード１１５は、あらゆる適切な方法で、ＭＩＭＯ送信スキームに対する複数の直交参照信号を作成し得る。１つの例として、ネットワークノード１１５は、参照信号を分離するために、周波数分割多重を使用し得る。別の例として、ネットワークノード１１５は、参照信号を分離するために、符号分割多重を使用し得る。更に別の例として、ネットワークノード１１５は、第１のシンボルにおいて参照シンボルで変調された予約されたリソースエレメントと、第２のシンボルにおける複数のリソースエレメントの１つ以上との間の直交カバーコードを使用し得る。そのようなケースでは、ＵＥ１１０により受信された第１のサブフレームは、ＭＩＭＯ送信スキームに対する複数の直交参照信号を含み得る。
【００４２】
上述の例の実施形態では、あるステップを実行するネットワークノード１１５とＵＥ１１０に関して説明したが、本開示では、種々の実施形態はあらゆる適切なノードにより実行され得ることを考える。例えば、ある実施形態では、ネットワークノード１１５により実行されている上述のステップは、例えば、ＵＥ１１０がデバイス・ツー・デバイスのシナリオにおいて動作する場合に、ＵＥ１１０により実行され得る。別の例として、ＵＥ１１０により実行されている上述のステップは、例えば、ネットワークノード１１５が無線自己バックホールのシナリオにおいて動作する場合に、ネットワークノード１１５により実行され得る。
【００４３】
図３は、ある実施形態に従う、第１のＯＦＤＭシンボルが参照シンボルに対して予約されたリソースエレメントを含む、サブフレームを示す。より具体的には、図３は、第１のＯＦＤＭシンボル３１０Ａ、第２のＯＦＤＭシンボル３１０Ｂ、第２のＯＦＤＭシンボル３１０Ｃ、および第４のＯＦＤＭシンボル３１０Ｄを有するサブフレーム３０５を示す。サブフレーム３０５は、第１のＯＦＤＭシンボル３１０Ａを含む制御領域３１５Ｂと、第２のＯＦＤＭシンボル３１０Ｂ、第３のＯＦＤＭシンボル３１０Ｃ、第４のＯＦＤＭシンボル３１０Ｄを含むデータ領域３２０Ｂを有する。制御領域３１５Ｂにおける第１のＯＦＤＭシンボル３１０Ａは、ＰＤＣＣＨを含んでも良い。図３の例では、第１のＯＦＤＭシンボル３１０Ａは、第２のＯＦＤＭシンボル３１０から開始するＰＤＣＨ３３０をスケジュールするＰＤＣＣＨ３２５を含む。第１のＯＦＤＭシンボル３１０Ａは、参照信号に対して予約されている複数のリソースエレメント３３５Ａ〜Ｇを含む。予約されたリソースエレメント３３５Ａ〜Ｇのサブセットは、実際には、参照シンボルにより変調されている。図３の例では、周波数領域でＰＤＣＨ３３０と重なる、予約されたリソースエレメント３３５Ｂ、３３５Ｃおよび３３５Ｄは、参照シンボルを伝達する。したがって、第１のＯＦＤＭシンボル３１０Ａにおけるリソースエレメント３３５Ａ〜Ｇのそれぞれは、参照信号に対して予約される一方、リソースエレメント３３５Ｂ、３３５Ｃ、および３３５Ｄだけは、図３において○で囲んだ×のシンボルにより示されるように、実際に参照シンボルにより変調される。参照シンボルで変調された、予約されたリソースエレメント３３５Ｂ、３３５Ｃおよび３３５Ｄは、スケジュールされたＰＤＣＨ３３０の帯域と重なる。
【００４４】
ＵＥはＰＤＣＣＨ３２５を検出した後、可能性があるダウンリンクＰＤＣＨ送信３３０に関連する情報を取得する。ＵＥは、周波数領域でＰＤＣＨ３３０と重なる第１のＯＦＤＭシンボル３１０Ａにおける予約されたリソースエレメント３３５は、参照信号で変調されていると想定することができる（図３の例では、これらは予約されたリソースエレメント３３５Ｂ、３３５Ｃ、および３３５Ｄを含む）。最も一般的なケースは、ＰＤＣＨ３３０の復調を助けるために、ＰＤＣＨに関連付けられたＤＭＲＳである。追加的な参照信号は、ＰＤＣＨに埋め込まれ得る。そのようなケースでは、ＰＤＣＨは、参照シンボルで変調されたリソースエレメントの周辺にマッピングされる。
【００４５】
図４は、ある実施形態に従う、複数のサブフレームが視覚的である、図３の一般化を示す。より具体的には、図４は、第１のサブフレーム４０５Ａ、第２のサブフレーム４０５Ｂ、第３のサブフレーム４０５Ｃ、および第４のサブフレーム４０５Ｄを示す。サブフレーム４０５Ａ〜Ｄのそれぞれは、制御情報を含む単一のＯＦＤＭシンボルを有する制御領域４１５と、データを含む３つのＯＦＤＭシンボルを有するデータ領域４２０を含む。図４の例では、２つのＰＤＣＣＨ４２５Ａと４２５Ｂと、２つのＰＤＣＨ４３０Ａと４３０Ｂは、４つのサブフレーム４０５Ａ〜Ｄ内にスケジュールされる。ＰＤＣＣＨ４２５ＡとＰＤＣＣＨ４２５Ｂは、予約されたリソースエレメント周辺にマッピングされる。サブフレーム４０５Ａの制御領域４１５におけるＰＤＣＣＨ４２５Ａは、ＰＤＣＨ４３０Ａをスケジュールする。ＰＤＣＨ４３０Ａは、４つのサブフレーム４０５Ａ〜Ｄを構成するサブフレームアグリゲートデータ送信である。
【００４６】
参照信号に対して予約されたリソースエレメント４３５Ａ〜Ｇは、サブフレーム４０５Ａ〜Ｄの制御領域４１５（すなわち、ＰＤＣＣＨを伝達することができる全てのサブフレーム）に存在する。しかしながら、周波数領域でＰＤＣＨ４３０Ａと重なる予約されたリソースエレメントの全てが、参照シンボルを伝達しなければいけないわけではない。図４の例において示されるように、周波数領域においてＰＤＣＨ４３０Ａに重なる第１のサブフレーム４０５Ａと第３のサブフレーム４０５Ｃの制御領域における予約されたリソースエレメントだけが、参照シンボルを伝達する（図４において○で囲んだ×のシンボルにより示されるように）。第２のサブフレーム４０５Ｂと第４のサブフレーム４０５Ｄの制御領域４１５においてＰＤＣＨ４３０Ａと重なる予約されたリソースエレメントは、参照信号に対して使用されない。むしろ、図４の例では、それらは、ＰＤＣＨ４３０Ａの変調シンボルを伝達する。チャネル変更のレートに依存して、時間でより多いまたはより少ない参照信号が必要となる。図４の例では、１つおきのサブフレーム（すなわち、第１のサブフレーム４０５Ａと第３のサブフレーム４０５Ｃ）は、効率的に密度が高い。
【００４７】
ある実施形態では、（ＰＤＣＨ４３０Ａ等の）サブフレームアグリゲート内のＯＦＤＭシンボルのどれが参照信号を含むかについての情報は、ＵＥに通信される。サブフレームアグリゲート内のＯＦＤＭシンボルのどれが参照信号を含むかについての情報は、あらゆる適切な方法でＵＥに通信され得る。１つの例として、ある実施形態では、参照信号を含むサブフレームアグリゲート内のＯＦＤＭシンボルは固定である（しかしながら、このケースでは、参照信号密度をチャネル条件に採用するのは可能ではない）。別の例では、参照信号を含むサブフレームアグリゲート内のＯＦＤＭシンボルは、例えば、ネットワークノード１１５等のあらゆる適切なネットワークエンティティにより、準静的に構成され得る。更に別の例では、参照信号を含むサブフレームアグリゲート内のＯＦＤＭシンボルは、例えばネットワークノード１１５により、ＰＤＣＣＨ４２５Ａにおいて運ばれるスケジューリング情報の一部であり得る。本開示では、スケジューリング情報は、あらゆる適切な方法で運ばれることを考える。
【００４８】
図４の例では、第３のサブフレーム４０５Ｃの制御領域４１５におけるＰＤＣＣＨ４２５Ｂは、ＰＤＣＨ４３０Ｂをスケジュールする。図４に示されるように、ＰＤＣＨ４３０Ｂは、２つのサブフレームの間続く（すなわち、第３のサブフレーム４０５Ｃと第４のサブフレーム４０５Ｄ）、周波数領域においてＰＤＣＨ４３０Ｂに重なる。予約されたリソースエレメント４３５Ｅと４３５Ｆは、第３のサブフレーム４０５Ｃと第４のサブフレーム４０５Ｄの両方における参照シンボルを伝達する。
【００４９】
予約されたリソースエレメント４３５で送信された参照シンボルに加えて、参照シンボルは、他のリソースエレメント上で同様に変調され得る。
【００５０】
上述した図３と図４の例は、局所型のＰＤＣＨおよびＰＤＣＣＨを示したが、これは例示の目的のためだけである。本開示では、分散型の送信も同様に利用することができることを考える。
【００５１】
周波数の粒度（granularity）は、典型的には、単一のサブキャリアではなく、共にスケジュールされた一群のサブキャリアである。ＬＴＥでは、これをリソースブロックと呼ぶ。典型的には、ＰＤＣＣＨとＰＤＣＨの両方に対するリソース割り当ては、リソースブロックに関して表される。予約されたリソースエレメントは、リソースブロックに渡ってそれ自身を繰り返すように配置される可能性がある。説明のために、１６サブキャリアからリソースブロックが構成されるものとすると、予約されたリソースエレメントに対する可能なパターンは、ｋ＋ｎΔとなりうる。ここで、ｋは（設定可能な）オフセットであり、ｎは、参照信号シーケンス内のインデックスであり、Δは予約されたリソースエレメントの間隔である。リソースブロックサイズ１６に対して、Δの典型的な値は、２、４、８、または１６であり、リソースブロックに渡って、同一の予約されたリソースエレメントパターンを導く。
【００５２】
図５は、ある実施形態に従う、第１のＯＦＤＭシンボルにおける使用された予約されたリソースエレメントと、第２のＯＦＤＭシンボルにおけるリソースエレメントとの間の直交カバーコードを示す。より具体的には、図５は、第１のＯＦＤＭシンボル５１０Ａ、第２のＯＦＤＭシンボル５１０Ｂ、第３のＯＦＤＭシンボル５１０Ｃ、および第４のＯＦＤＭシンボル５１０Ｄを有するサブフレーム５０５を示す。サブフレーム５０５は、第１のＯＦＤＭシンボル５１０Ａを含む制御領域５１５と、第２のＯＦＤＭシンボル５１０Ｂ、第３のＯＦＤＭシンボル５１０Ｃおよび第４のＯＦＤＭシンボル５１０Ｄを含むデータ領域５２０を有する。制御領域５１５における第１のＯＦＤＭシンボル５１０Ａは，ＰＤＣＣＨ５２５と、予約されたリソースエレメント５３４Ａ〜Ｇを含む。ＰＤＣＣＨ５２５は、予約されたリソースエレメント５３５Ｄと５３５Ｅの周辺にマッピングされる。ＰＤＣＣＨ５２５は、第２のＯＦＤＭシンボル５１０Ｂで始まるＰＤＣＨ５３０をスケジュールする。
【００５３】
いくつかのＭＩＭＯ送信スキームに対して、複数の直交参照信号を作成する必要がある。図５は、１つの例示的な実施形態を示す。ここでは、第１のＯＦＤＭシンボル５１０Ａにおける使用された（すなわち周波数領域でＰＤＣＨ５３０を重なる）予約されたリソースエレメント５３５Ｂ〜Ｄと第２のＯＦＤＭシンボル５１０Ｂにおけるリソースエレメントとの間の直交カバーコード（ＯＣＣ）が使用されている。図５は、ＯＣＣの使用が示されているが、いくつかの設計が存在する。
【００５４】
１つの例の設計では、参照信号を分離するために周波数分割多重が用いられる（すなわち、各参照信号は、予約されたリソースエレメントの位置の重ならないサブセットに割り当てられる）。例えば、Ｌの直交参照信号が作成されるべき場合、各信号はＬ番目の予約されたリソースエレメント毎に割り当てられる。予約されたリソースエレメントパターンｋ＋ｎΔを使用することで、ｌ番目の直交参照信号は、リソースエレメントｋ＋ｌΔ＋ｎΔＬ（ｋ＝０，１，…，Ｌ−１）にマッピングマッピングされ得る。これは、周波数領域の櫛状部（ｃｏｍｂ）とも呼ばれる。このケースでは、それらが周波数領域の櫛状部の一部ではない場合、周波数領域でＰＤＣＨと重なる予約されたリソースエレメントは空のままである。
【００５５】
別の例の設計では、参照信号を分離するために符号分割多重（ＣＤＭ）が用いられる。直交シーケンスは、同じ予約されたリソースエレメントの位置にマッピングされる。例のシーケンスは、アダマール符号、巡回シフトＺａｄｏｆｆ−Ｃｈｕシーケンス、または他のあらゆるＣＡＺＡＣ（Constant Amplitude Zero Auto Correlation（定振幅ゼロ自己相関））シーケンスを含むが、これらに限定されない。
【００５６】
図５に関連して上述したように、別の例の設計では、第１のＯＦＤＭシンボルにおける割り当てられ予約されたリソースエレメントと別のＯＦＤＭシンボルにおけるリソースエレメントとの間の時間においてＯＣＣが使用される。図５の例は、ある実施形態に従って、第１のＯＦＤＭシンボル５１０Ａにおける使用され予約されたリソースエレメントと第２のＯＦＤＭシンボル５１０Ｂにおけるリソースエレメントとの間のＯＣＣを示している。
【００５７】
本開示では、あらゆる適切な設計または設計の組み合わせが使用されることを考える。例えば、ある実施形態では、１つ以上の上述の設計のあらゆる適切な組み合わせが使用され得る。
【００５８】
上述したある例の実施形態では、ＰＤＣＣＨはサブフレームの第１のＯＦＤＭシンボルにおいて送信されると想定されているが、これは例の目的のみに過ぎない。本開示では、そのような例の実施形態に限定されない。むしろ、本開示は、ここに説明される種々の実施形態は、ＰＤＣＣＨが複数のＯＦＤＭシンボルを介して送信される、および／または、ＰＤＣＣＨがサブフレームの最初のＯＦＤＭシンボルではない別のＯＦＤＭシンボルで送信されるシナリオにおいて適用可能であると考える。
【００５９】
上述したように、制御情報を伝達するＯＦＤＭシンボルがデータも伝達することができる場合は、更なる検討事項である。それに問わず、ここに説明する種々の実施形態では、両方の設計に適用可能である。
【００６０】
上記に説明したある実施形態では、ＰＤＣＣＨと参照信号は、第１のＯＦＤＭシンボルで送信されると想定したが、本開示は、そのような例に限定されず、ここに説明する種々の実施形態は、ＰＤＣＨが第１のＯＦＤＭシンボルにおいて送信されるシナリオにおいても適用可能であると考える。そのようなケースでは、ＰＤＣＨも予約されたリソースエレメントの周辺にマッピングされる（サブフレームアグリゲートの後半のサブフレームにおける予約されたリソースエレメントがＰＤＣＨのために使用することができる、図４の説明に関するものを除いて）。
【００６１】
上述のある例の実施形態では、ＰＤＣＣＨは予約されたリソースエレメントの周辺にマッピングされると想定したが、本開示は、ここに説明する種々の実施形態は、ＰＤＣＣＨが使用されていない予約されたリソースエレメントを使用することができるように、適用されることが可能であると考える（すなわち、予約されたリソースエレメントは、周波数領域においてあらゆるＰＤＣＨと重ならない）。そのようなシナリオでは、ＵＥは、両方の可能性（すなわち、ＰＤＣＣＨが予約されたリソースエレメントの周辺にマッピングされるケース、または、ＰＤＣＣＨも予約されたリソースエレメントにマッピングされるケース）をブラインド的に復号化する必要がある。
【００６２】
本説明を通して、ダウンリンクが想定される。これは説明と例示の目的のためだけである。本開示は、ここに説明する種々の実施形態は、あらゆる他の適切なシナリオに適用可能であると考える。例えば、ここに説明する種々の実施形態は、無線自己バックホール、または、あるノードが別のノードへ送信するデバイス・ツー・デバイスのシナリオ（サイドリンク）に提供され得る。別の例として、ここに説明する種々の実施形態は、スケジューリングコマンド（例えばＰＤＣＣＨ）と対応するデータチャネル（例えばＰＤＣＨ）を送信するサイドリンクに適用可能であり得る。
【００６３】
例の実施形態はＯＦＤＭに関して記載されていることは確かであるが、これは例の目的のためだけである。本開示では、そのような例の実施形態に限定されない。むしろ、本開示は、種々の実施形態が細かな粒度を有する周波数領域（例えばサブキャリア）へのアクセスを可能とするあらゆる送信スキームに適用可能であると考える。例えば、これは、あらゆる種類のマルチキャリアシステム（例えばフィルタバンクマルチキャリア（ＦＢＭＣ）ベースのシステム）、並びに、プレコードマルチキャリアシステム（例えば、離散フーリエ変換拡散ＯＦＤＭ（ＤＦＴＳ−ＯＦＤＭ）、シングルキャリア周波数分割多重アクセス（ＳＣ−ＦＤＭＡ）、およびフィルタバンクプレコードＦＢＭＣ）を含む。
【００６４】
図６は、ある実施形態に従う、例の信号フロー図を示す。ステップ６０４では、ｅＮＢ１１５等のノードは、参照シンボルで変調された、予約されたリソースエレメントのサブセットで、フレーム構成を生成する。フレーム構成は、少なくとも１つのサブフレームを含み得る。少なくとも１つのサブフレームは、複数のシンボルを含み得る。複数のシンボルは、ＯＦＤＭシンボルであり得る。少なくとも１つのサブフレームの第１のシンボルは、参照信号に対して予約された複数のリソースエレメントを含む。参照信号に対して予約されたリソースエレメントのサブセットは、実際には、参照シンボルにより変調されている。上述したように、ある実施形態では、参照シンボルで実際に変調された予約されたリソースエレメントは、少なくとも１つのサブフレーム（および、サブフレームアグリゲーションのケースでは、追加的なサブフレームもあり得る）の一連のシンボルにおいて、データ送信（例えばＰＤＣＨ）と重なる、それらの予約されたリソースエレメントである。
【００６５】
ステップ６０８では、ｅＮＢ１１５は、少なくとも１つのサブフレームを、ＵＥ１１０等の別のノードへ送信する。送信された少なくとも１つのサブフレームは、ＵＥ１１０により受信される。ＵＥ１１０は、受信したサブフレームの第１のシンボルにおいて伝達された制御情報を復号化する。ステップ６１６では、ＵＥは、受信した少なくとも１つのサブフレームの第１のシンボルにおいて伝達された、復号化された制御情報から、スケジューリング情報を取得する。取得されたスケジューリング情報は、周波数領域におけるデータ送信（例えばＰＤＣＨ）の位置を示す。
【００６６】
ステップ６２０では、ＵＥ１１０は、第１のシンボルにおける１つ以上の予約されたリソースエレメントのどれが参照シンボルで変調されているかを決定する。ある実施形態では、ＵＥ１１０は、参照信号に対して予約されたリソースエレメントのどれがが、取得されたスケジューリング情報により示されたデータ送信と周波数領域で重なるかに基づいて、１つ以上の予約されたリソースエレメントのどれが、参照シンボルで変調されているかを決定する。
【００６７】
ステップ６２４では、ＵＥ１１０は、参照シンボルで変調されている、第１のシンボルにおける１つ以上の予約されたリソースエレメントを用いてチャネル推定を行う。本開示では、ＵＥ１１０は、あらゆる適切な方法でチャネル推定を行うことを考える。ある実施形態では、チャネル推定を行うことに加えて、またはそれに代えて、ＵＥ１１０は、参照シンボルで変調されている、第１のシンボルにおける１つ以上の予約されたリソースエレメントを用いてデータ送信を復号化し得る。本開示では、ＵＥ１１０は、チャネル推定を行うことに加えて、またはそれに代えて、参照シンボルで変調されている、第１のシンボルにおける１つ以上の予約されたリソースエレメントを用いてあらゆる適切な動作を行い得る。
【００６８】
図７は、ある実施形態に従う、ノードにおける方法のフローチャートである。ステップ７０４では、ノードは、少なくとも第１のサブフレームを含むフレーム構成を生成する。第１のサブフレームは、第１のシンボルと第２のシンボルを含む。第１と第２のシンボルのそれぞれは、複数のリソースエレメントを含む。第１のシンボルは制御情報を伝達し、第２のシンボルはデータ送信を伝達する。第１のシンボルは、データも伝達し得る。ある実施形態では、制御情報は、ＰＤＣＣＨで伝達され、データ送信は、ＰＤＣＨで伝達され得る。制御情報は、参照シンボルで変調されていない１つ以上の予約されたリソースエレメントにおいて伝達され得る。第１と第２のシンボルは、直交周波数分割多重シンボルである。ある実施形態では、ノードは、ネットワークノード、および、デバイス・ツー・デバイスのシナリオにおいて動作する無線デバイスのいずれかを含み得る。
【００６９】
ステップ７０８では、ノードは、参照信号に対して、第１のシンボルにおける複数のリソースエレメントの１つ以上を予約する。ある実施形態では、参照信号は、復調参照信号を含み得る。
【００７０】
ステップ７１２では、ノードは、第１のシンボルにおける予約されたリソースエレメントの１つ以上を、参照シンボルで変調する。変調されている、第１のシンボルにおける予約されたリソースエレメントの１つ以上は、第２のシンボルにおいて伝達されたデータ送信と周波数領域で重なる１つ以上の予約されたリソースエレメントのサブセットを含む。
【００７１】
ステップ７１６では、ノードは、少なくとも１つのサブフレームを別のノードに送信する。
【００７２】
ある実施形態では、フレーム構成は、更に、複数のシンボルを含む第２のサブフレームを含む。第１のサブフレームの第２のシンボルにおいて伝達されるデータ送信は、時間領域で、第２のサブフレームの複数のシンボルの少なくとも１つを横断する、サブフレームアグリゲートデータ送信であり得る。方法は、サブフレームアグリゲートデータ送信内の複数のシンボルのどれが参照信号を含むかを示す情報を通信することを含み得る。
【００７３】
ある実施形態では、方法は、ＭＩＭＯ送信スキームに対する複数の直交参照信号を作成することを含み得る。いくつかのケースでは、ＭＩＭＯ送信スキームに対して複数の直交参照信号を作成することは、参照信号を分離するために周波数分割多重を用いること、参照信号を分離するために符号分割多重を用いること、第１のシンボルにおける参照シンボルで変調された予約されたリソースエレメントと第２のシンボルにおける複数のリソースエレメントの１つ以上との間の直交カバーコードを使用することの、１つ以上を含む。
【００７４】
図８は、ある実施形態に従う、ノードにおける方法のフロー図である。方法は、ステップ８０４から開始し、ノードは第１のサブフレームを受信する。第１のサブフレームは、第１のシンボルと第２のシンボルを含む。第１と第２のシンボルのそれぞれは、複数のリソースエレメントを含む。第１のシンボルにおける複数のリソースエレメントの１つ以上は、参照信号に対して予約される。第１のシンボルは制御情報を伝達し、第２のシンボルはデータ送信を伝達する。ある実施形態では、ノードは、ダウンリンクにおいて動作する無線デバイス、デバイス・ツー・デバイスのシナリオで動作する無線デバイス、および、無線自己バックホールのシナリオにおいて動作するネットワークノード、のうちの１つ以上であり得る。制御情報は、ＰＤＣＣＨで伝達され、データ送信は、ＰＤＣＨで伝達され得る。第１のシンボルは、データも伝達し得る。ある実施形態では、第１と第２のシンボルは、直交周波数分割多重シンボルであり、参照信号は復調参照信号を含み得る。第１のサブフレームは、多入力多出力（ＭＩＭＯ）送信スキームに対する複数の直交参照信号を含み得る。
【００７５】
ステップ８０８では、ノードは、第１のシンボルにおいて伝達された制御情報を復号化する。ある実施形態では、制御情報は参照シンボルで変調されていない１つ以上の予約されたリソースエレメントで伝達され、制御情報を復号化することは、制御情報が第１のシンボルにおける１つ以上の予約されたリソースエレメントの周辺にマッピングされるように復号化を行うこと、および、制御情報が参照シンボルで変調されていない１つ以上の予約されたリソースエレメントにマッピングされるように復号化を行うこと、を含み得る。
【００７６】
ステップ８１２では、ノードは、復号化された制御情報からスケジューリング情報を取得する。ここで、スケジューリング情報は、周波数領域におけるデータ送信の位置を示す。
【００７７】
ステップ８１６では、ノードは、周波数領域におけるデータ送信の位置に基づいて、第１のシンボルにおける１つ以上の予約されたリソースエレメントのどれが参照シンボルで変調されているかを決定する。ある実施形態では、参照シンボルで変調されている、第１のシンボルにおけ１つ以上の予約されたリソースエレメントは、第２のシンボルにおいて伝達されたデータ送信と周波数領域で重なる１つ以上の予約されたリソースエレメントのサブセットを含む。
【００７８】
ステップ８２０では、ノードは、参照シンボルで変調されている、第１のシンボルにおける１つ以上の予約されたリソースエレメントを用いて１つ以上の動作を行う。図８の例の実施形態では、ノードは、参照シンボルで変調されている、第１のシンボルにおける１つ以上の予約されたリソースエレメントを用いてチャネル推定を行う。ある実施形態では、チャネル推定を行うことに加えて、またはそれに代えて、ノードは、参照シンボルで変調されている、第１のシンボルにおける１つ以上の予約されたリソースエレメントを用いてデータ送信を復号化し得る。いくつかのケースでは、参照シンボルで変調された第１のシンボルにおける１つ以上の予約されたリソースエレメントを用いてチャネル推定を行うことは、参照シンボルで変調されている第１のシンボルにおける１つ以上の予約されたリソースエレメントを用いてデータ送信を復号化することを含み得る。
【００７９】
ある実施形態では、方法は、複数のシンボルを含む第２のサブフレームを受信することを含み得る。第１のサブフレームの第２のシンボルにおいて伝達されたデータ送信は、第２のサブフレームの複数のシンボルの少なくとも１つを時間領域で横断するサブフレームアグリゲートデータ送信である。方法は、サブフレームアグリゲートデータ送信内の複数のシンボルのどれが参照信号を含むかを示す情報を取得することを含み得る。
【００８０】
図９は、ある実施形態に従う、例示的な無線デバイスの概略ブロック図である。無線デバイス１１０は、ノード、および／または、セルラまたは移動通信システムにおける別の無線デバイスと通信するあらゆる種類の無線デバイスを参照し得る。無線装置１１０の例は、携帯電話、スマートフォン、パーソナルデジタルアシスタント（ＰＤＡ）、ポータブルコンピュータ（例えば、ラップトップ、タブレット）、センサ、モデム、マシーンタイプ（ＭＴＣ）デバイス／マシーン・ツー・マシーン（Ｍ２Ｍ）デバイス、ラップトップ組込み装置（ＬＥＥ）、ラップトップ搭載装置（ＬＭＥ）、ＵＳＢドングル、Ｄ２Ｄ可能なデバイス、または無線通信を提供可能な他のデバイスを含む。無線デバイス１１０はまた、ＵＥ１１０、ステーション（ＳＴＡ）、デバイス、またはいくつかの実施形態における端末としても称され得る。無線デバイス１１０は、送受信器９１０、プロセッサ９２０、およびメモリ９３０を含む。いくつかの実施形態では、送受信器９１０は、（例えばアンテナ９４０を介して）ネットワークノード１１５へ無線信号を送信すること、および、ネットワークノード１１５から無線信号を受信することを容易にする。プロセッサ９２０は、無線デバイス１１０により提供されている上述の機能性のいくつかまたは全てを提供するための命令を実行する。メモリ９３０は、プロセッサ９２０により実行される命令を格納する。
【００８１】
プロセッサ９２０は、１つ以上のモジュールにおいて実装される、ハードウェアとソフトウェアのあらゆる適切な組み合わせを含み、命令を実行しデータを操作して、上記の図１〜８に関連して上述した無線デバイス１１０の機能のような、説明した無線デバイス１１０の機能いくつかまたは全てを実行する。いくつかの実施形態では、プロセッサ９２０は、例えば、１つ以上のコンピュータ、１つ以上の中央処理ユニット（ＣＰＵ）、１つ以上のマイクロプロセッサ、１つ以上のアプリケーション、１つ以上の特定用途向け集積回路（ＡＳＩＣ）、１つ以上のフィールドプログラマブルゲートアレイ（ＦＰＧＡ）および／または他のロジックを含み得る。
【００８２】
メモリ９３０は、一般的には、コンピュータプログラム、ソフトウェア、１つ以上のロジック、ルール、アルゴリズム、コード、テーブル等を含むアプリケーション、および／または、プロセッサにより実行されることが可能な命令を格納するように動作可能である。メモリ９３０の例は、コンピュータメモリ（例えば、ランダムアクセスメモリ（ＲＡＭ）またはリードオンリーメモリ（ＲＯＭ））、マスストレージ媒体（例えばハードディスク）、リムーバブル記憶媒体（例えばコンパクトディスク（ＣＤ）またはデジタルビデオディスク（ＤＶＤ））、および／または、情報、データ、および／または、プロセッサ９２０により使用され得る命令を格納する、あらゆる他の揮発性または非揮発性、一時的コンピュータ読み取り可能および／またはコンピュータ実行可能メモリデバイスを含む。
【００８３】
無線デバイス１１０の他の実施形態は、上述の機能性のいずれか、および／または、あらゆる追加的な機能性（上述したソリューションをサポートするために必要なあらゆる機能性を含む）を含む、ある観点を無線デバイスの機能性を提供することを担い得る、図９に示す構成要素を超える追加的な構成要素を含み得る。単なる１つの例として、無線デバイス１１０は、プロセッサ９２０の一部となり得る、入力デバイスおよび回路、出力デバイス、および１つ以上の同期ユニットまたは回路を含み得る。入力デバイスは、無線デバイス１１０へデータを入力するためのメカニズムを含む。例えば、入力デバイスは、マイクロフォン、入力エレメント、ディスプレイといった入力メカニズムを含む。出力デバイスは、音声、ビデオ、および／またはハードコピーフォーマットでデータの出力を行うためのメカニズムを含む。例えば、出力デバイスは、スピーカ、ディスプレイ等を含む。
【００８４】
図１０は、ある実施形態に従う、例示的なネットワークノードの概略ブロック図である。ネットワークノード１１５は、あらゆる種類の無線ネットワークノード、または、ＵＥおよび／または別のネットワークノードと通信するあらゆるネットワークノードであり得る。ネットワークノード１１５の例は、ｅＮｏｄｅＢ、ノードＢ、基地局、無線アクセスポイント（例えばＷｉ−Ｆｉアクセスポイント）、低電力ノード、基地局（ＢＴＳ）、中継機、ドナーノード制御中継機、送信ポイント、送信オード、遠隔ＲＦユニット（ＲＲＵ）、遠隔無線ヘッド（ＲＲＨ）、マルチスタンダード無線（ＭＳＲ）無線の０度（ＭＳＲ  ＢＳ等）、分散アンテナシステム（ＤＡＳ）におけるノード、Ｏ＆Ｍ、ＯＳＳ、ＳＯＮ、ポジショニングノード（例えばＥ−ＳＭＬＣ）、ＭＤＴ、またはあらゆる他の適切なネットワークノードを含む。ネットワークノード１１５は、同種の配置、異種の配置、混合の配置としてのネットワーク１００の至るところに配備され得る。同種の配置は、一般的には、同じ（または同様の）種類のネットワークノード１１５および／または同様のカバレッジとセルサイズとサイト間距離で構成された配置を説明し得る。異種の配置は、一般的には、異なるセルサイズ、送信電力、容量およびセル間距離を有する、様々な種類のネットワークノードを用いた配置を説明し得る。例えば、異種の配置は、マクロセルのレイアウトの至るところに位置する複数の低電力ノードを含み得る。混合の配置は、同種の部分と異種の部分の混合を含み得る。
【００８５】
ネットワークノード１１５は、送受信器１０１０、プロセッサ１０２０、メモリ１０３０、およびネットワークインタフェース１０４０の１つ以上を含み得る。いくつかの実施形態では、送受信器１０１０は、（例えばアンテナ１０５０を介して）無線デバイス１１０へ信号を送信し、無線デバイス１１０から信号を受信することを助ける。プロセッサ１０２０は、ネットワークノード１１５により提供されている上述の機能性のいくつかまたは全てを提供するための命令を実行する。メモリ１０３０は、プロセッサ１０２０により実行される命令を格納する。ネットワークインタフェース１０４０は、ゲートウェイ、交換機、ルータ、インターネット、公衆回線電話ネットワーク（ＰＳＴＮ）、コアネットワークノードまたは無線ネットワークコントローラ１３０等のバックエンドネットワーク構成要素へ信号を通信する。
【００８６】
プロセッサ１０２０は、１つ以上のモジュールにおいて実装される、ハードウェアとソフトウェアのあらゆる適切な組み合わせを含み、命令を実行しデータを操作して、上記の図１〜８に関連して上述したような、ネットワークノード１１５の機能いくつかまたは全てを実行する。いくつかの実施形態では、プロセッサ１０２０は、例えば、１つ以上のコンピュータ、１つ以上の中央処理ユニット（ＣＰＵ）、１つ以上のマイクロプロセッサ、１つ以上のアプリケーション、および／または他のロジックを含み得る。
【００８７】
メモリ１０３０は、一般的には、コンピュータプログラム、ソフトウェア、１つ以上のロジック、ルール、アルゴリズム、コード、テーブル等を含むアプリケーション、および／または、プロセッサにより実行されることが可能な命令を格納するように動作可能である。メモリ１０３０の例は、コンピュータメモリ（例えば、ランダムアクセスメモリ（ＲＡＭ）またはリードオンリーメモリ（ＲＯＭ））、マスストレージ媒体（例えばハードディスク）、リムーバブル記憶媒体（例えばコンパクトディスク（ＣＤ）またはデジタルビデオディスク（ＤＶＤ））、および／または情報を格納する、あらゆる他の揮発性または非揮発性、一時的コンピュータ読み取り可能および／またはコンピュータ実行可能メモリデバイスを含む。
【００８８】
いくつかの実施形態では、ネットワークインタフェース１０４０は通信可能にプロセッサ１０２０に接続され、ネットワークノード１１５に対する入力を受信し、ネットワークノード１１５からの出力を送信し、入力または出力またはその両方の好適な処理を実施し、他の装置と通信し、または前記のもののあらゆる組み合わせを実施可能な好適な装置であり得る。ネットワークインタフェース１０４０は、ネットワークを介して通信するために、プロトコル変換およびデータ処理機能を含む、適切なハードウェア（例えば、ポート、モデム、ネットワークインタフェースカード等）およびソフトウェアを含み得る。
【００８９】
ネットワークノード１１５の他の実施形態は、上述の機能性のいずれか、および／または、あらゆる追加的な機能性（上述したソリューションをサポートするために必要なあらゆる機能性を含む）を含む、ある観点の無線ネットワークの機能性を提供することを担い得る、図１０に示す構成要素を超える追加的な構成要素を含み得る。種々の異なる種類のネットワークノードは、同じ物理的なハードウェアを有する構成要素を含み得るが、（例えばプログラミングを介して）異なる無線アクセス技術をサポートするように構成され得る、または、異なる物理的な構成要素を部分的または全体的に表現し得る。
【００９０】
図１１は、ある実施形態に従う、例示的な無線ネットワークコントローラまたはコアネットワークノードの概略ブロック図である。ネットワークノードの例は、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等を含み得る。無線ネットワークコントローラまたはコアネットワークノード１３０は、プロセッサ１１２０、メモリ１１３０、およびネットワークインタフェース１１４０を含む。いくつかの実施形態では、プロセッサ１１２０は、ネットワークノードにより提供されているような上述の機能性のいくつかまたは全てを提供するための命令を実行する。メモリ１１３０は、プロセッサ１１２０により実行される命令を格納する。ネットワークインタフェース１１４０は、ゲートウェイ、交換機、ルータ、インターネット、公衆回線電話ネットワーク（ＰＳＴＮ）、コアネットワークノードまたは無線ネットワークコントローラ１３０等のあらゆる適切なノードへ信号を通信する。
【００９１】
プロセッサ１１２０は、１つ以上のモジュールにおいて実装される、ハードウェアとソフトウェアのあらゆる適切な組み合わせを含み、命令を実行しデータを操作して、無線ネットワークコントローラまたはコアネットワークノード１３０の上述した機能のいくつかまたは全てを実行する。いくつかの実施形態では、プロセッサ１１２０は、例えば、１つ以上のコンピュータ、１つ以上の中央処理ユニット（ＣＰＵ）、１つ以上のマイクロプロセッサ、１つ以上のアプリケーション、および／または他のロジックを含み得る。
【００９２】
メモリ１１３０は、一般的には、コンピュータプログラム、ソフトウェア、１つ以上のロジック、ルール、アルゴリズム、コード、テーブル等を含むアプリケーション、および／または、プロセッサにより実行されることが可能な命令を格納するように動作可能である。メモリ１１３０の例は、コンピュータメモリ（っ問えば、ランダムアクセスメモリ（ＲＡＭ）またはリードオンリーメモリ（ＲＯＭ））、マスストレージ媒体（例えばハードディスク）、リムーバブル記憶媒体（例えばコンパクトディスク（ＣＤ）またはデジタルビデオディスク（ＤＶＤ））、および／または情報を格納する、あらゆる他の揮発性または非揮発性、一時的コンピュータ読み取り可能および／またはコンピュータ実行可能メモリデバイスを含む。
【００９３】
いくつかの実施形態では、ネットワークインタフェース１１４０は、通信可能にプロセッサ１１２０に接続され、ネットワークノードに対する入力を受信し、ネットワークノードからの出力を送信し、入力または出力またはその両方の好適な処理を実施し、他のデバイスと通信し、または前述のもののあらゆる組み合わせを実施可能な好適な装置であり得る。ネットワークインタフェース１１４０は、ネットワークを介して通信するために、プロトコル変換およびデータ処理機能を含む、適切なハードウェア（例えば、ポート、モデム、ネットワークインタフェースカード等）およびソフトウェアを含み得る。
【００９４】
ネットワークノードの他の実施形態は、上述の機能性のいずれか、および／または、あらゆる追加的な機能性（上述したソリューションをサポートするために必要なあらゆる機能性を含む）を含む、ある観点のネットワークノードの機能性を提供することを担い得る、図１１に示す構成要素を超える追加的な構成要素を含み得る。
【００９５】
図１２は、ある実施形態に従う、例示的な無線デバイスの概略ブロック図である。無線デバイス１１０は、１つ以上のモジュールを含み得る。例えば、無線デバイス１１０は、決定モジュール１２１０、通信モジュール１２２０、および受信モジュール１１３０を含み得る。オプション的に、無線デバイス１１０は、入力モジュール１２４０、表示モジュール１２５０、およびあらゆる他の適切なモジュールを含み得る。無線デバイス１１０は、図１〜８に関して上述した参照信号パターンの方法を実行し得る。
【００９６】
決定モジュール１２１０は、無線デバイス１１０の処理機能を実行し得る。ある実施形態では、無線デバイス１１０は、図１〜８に関して上述したノードの機能のいずれかを実行し得る。１つの例の実施形態では、決定モジュール１２１０は、少なくとも第１のサブフレームを含むフレーム構成を生成し得る。第１のサブフレームは、第１のシンボルと第２のシンボルを含み、第１と第２のシンボルのそれぞれは、複数のリソースエレメントを含み、第１のシンボルは制御情報を伝達し、第２のシンボルはデータ送信を伝達する。決定モジュール１２１０は、参照信号に対して、第１のシンボルにおける複数のリソースエレメントの１つ以上を予約し得る。決定モジュール１２１０は、第１のシンボルにおける予約されたリソースエレメントの１つ以上を、参照シンボルで変調し得る。ここで、第１のシンボルにおける変調された１つ以上の予約されたリソースエレメントは、周波数領域において、第２のシンボルにおいて伝達されたデータ送信と重なる１つ以上の予約されたリソースエレメントのサブセットを含む。決定モジュール１２１０は、多入力多出力（ＭＩＭＯ）送信スキームに対する複数の直交参照信号を作成し得る。
【００９７】
別の例の実施形態によれば、決定モジュール１２１０は、第１のシンボルにおいて伝達された制御情報を復号化し得る。決定モジュール１２１０は、復号化された制御情報からスケジューリング情報を取得し得る。ここで、スケジューリング情報は、周波数領域におけるデータ送信の位置を示す。決定モジュール１２１０は、周波数領域におけるデータ送信の位置に基づいて、第１のシンボルにおける１つ以上の予約されたリソースエレメントのどれが参照シンボルで変調されているかを決定し得る。決定モジュール１２１０は、参照シンボルで変調されている、第１のシンボルにおける１つ以上の予約されたリソースエレメントを用いて１つ以上の動作を行い得る。１つの例として、決定モジュール１２１０は、参照シンボルで変調されている、第１のシンボルにおける１つ以上の予約されたリソースエレメントを用いてチャネル推定を行い得る。別の例として、決定モジュール１２１０は、参照シンボルで変調されている、第１のシンボルにおける１つ以上の予約されたリソースエレメントを用いてデータ送信を復号化し得る。決定モジュール１２１０は、サブフレームアグリゲートデータ送信内の複数のシンボルのどれが参照信号を含むかを示す情報を取得し得る。
【００９８】
決定モジュール１２１０は、図９に関連して上述したプロセッサ９２０のような１つ以上のプロセッサを含む、またはそれに含まれ得る。決定モジュール１２１０は、決定モジュール１２１０および／またはプロセッサ９２０の機能のいずれかを実行するように構成されたアナログおよび／またはデジタル回路を含み得る。上述した決定モジュール１２１０の機能は、ある実施形態では、１つ以上の異なるモジュールにおいて実行され得る。
【００９９】
通信モジュール１２２０は、無線デバイス１１０の送信機能を実行し得る。ある実施形態では、無線デバイス１１０は、図１〜８に関して上述したノードの機能のいずれかを実行し得る。１つの例の実施形態では、通信モジュール１２２０は、少なくとも１つのサブフレームを別のノードに送信し得る。通信モジュール１２２０は、サブフレームアグリゲートデータ送信内の複数のシンボルのどれが参照信号を含むかを示す情報を通信し得る。
【０１００】
通信モジュール１２２０は、ネットワーク１１０のネットワークノード１１５の１つ以上にメッセージを送信し得る。通信モジュール１２２０は、図９に関連して上述した送受信器９１０のような送信器および／または送受信器を含み得る。通信モジュール１２２０は、メッセージおよび／または信号を無線で送信するように構成された回路を含み得る。特定の実施形態では、通信モジュール１２２０は、決定モジュール１２１０からの送信に対するメッセージおよび／または信号を受信し得る。ある実施形態では、上述した通信モジュール１２２０の機能は、１つ以上の異なるモジュールにおいて実行され得る。
【０１０１】
受信モジュール１２３０は、無線デバイス１１０の受信機能を実行し得る。ある実施形態では、無線デバイス１１０は、図１〜８に関して上述したノードの機能のいずれかを実行し得る。１つの例の実施形態では、受信モジュール１２０１は、第１のシンボルと第２のシンボルを含む第１のサブフレームを受信し得る。ここで、第１と第２のシンボルのそれぞれは複数のリソースエレメントを含み、複数のリソースエレメントの１つ以上は参照信号に対して予約され、第１のシンボルは制御情報を伝達し、第２のシンボルはデータ送信を伝達する。受信モジュール１２３０は、複数のシンボルを含む第２のサブフレームを受信し得る。ここで、第１のサブフレームの第２のシンボルにおいて伝達されたデータ送信は、第２のサブフレームの複数のシンボルの少なくとも１つを時間領域で横断するサブフレームアグリゲートデータ送信であり得る。受信モジュール１２３０は、サブフレームアグリゲートデータ送信内の複数のシンボルのどれが参照信号を含むかを示す情報を取得し得る。受信モジュール１２３０は、図９に関連して上述した送受信器９１０のような受信器および／または送受信器を含み得る。受信モジュール１２３０は、メッセージおよび／または信号を無線で受信するように構成された回路を含み得る。特定の実施形態では、受信モジュール１２３０は、受信したメッセージおよび／信号を、決定モジュール１２１０と通信し得る。
【０１０２】
オプション的に、無線デバイス１１０は、入力モジュール１２４０を含み得る。入力モジュール１２４０は、無線デバイス１１０に対して意図されたユーザ入力を受信し得る。例えば、入力モジュールは、キー押下、ボタン押下、タッチ、スワイプ、音声信号、ビデオ信号、および／または、他の適切な信号を受信し得る。入力モジュールは、１つ以上のキー、ボタン、レバー、スイッチ、タッチスクリーン、マイクロフォン、および／または、カメラを含み得る。入力モジュールは、受信した信号を、決定モジュール１２１０と通信し得る。
【０１０３】
オプション的に、無線デバイス１１０は、表示モジュール１２５０を含み得る。表示モジュール１２５０は、無線デバイス１１０のディスプレイに信号を表示する。表示モジュール１２５０は、ディスプレイ、および／または、ディスプレイに信号を表示するために構成された適切な回路およびハードウェアを含み得る。表示モジュール１２５０は、決定モジュール１２１０からディスプレイに表示するための信号を受信し得る。
【０１０４】
決定モジュール１２１０、通信モジュール１２２０、受信モジュール１２３０、入力モジュール１２４０、および表示モジュール１２５０は、ハードウェアおよび／またはソフトウェアのあらゆる適切な構成を含み得る。無線デバイス１１０は、上述の機能性のいずれか、および／または、あらゆる追加的な機能性（上述したソリューションをサポートするために必要なあらゆる機能性を含む）を含む、あらゆる適切な機能性を提供することを担い得る、図１２に示す構成要素を超える追加的な構成要素を含み得る。
【０１０５】
図１３は、ある実施形態に従う、例示的なネットワークノード１１５の概略ブロック図である。ネットワークノード１１５は、１つ以上のモジュールを含み得る。例えば、ネットワークノード１１５は、決定モジュール１３１０、通信モジュール１３２０、受信モジュール１３３０、およびあらゆる他の適切なモジュールを含み得る。いくつかの実施形態では、決定モジュール１３１０、通信モジュール１３２０、受信モジュール１３３０、またはあらゆる他の適切なモジュールのうちの１つ以上は、図１０に関連して上述したプロセッサ１０２０のような１つ以上のプロセッサを用いて実装され得る。ある実施形態では、様々なモジュールの２つ以上の機能は、単一のモジュールに組み合わされる。ネットワークノード１１５は、図１〜８に関して上述した参照信号パターン方法を実行し得る。
【０１０６】
決定モジュール１３１０は、ネットワークノード１１５の処理機能を実行し得る。ある実施形態では、ネットワークノード１１５は、図１〜８に関して上述したノードの機能のいずれかを実行し得る。１つの例の実施形態では、決定モジュール１３１０は、少なくとも第１のサブフレームを含むフレーム構成を生成し得る。第１のサブフレームは、第１のシンボルと第２のシンボルを含み、第１と第２のシンボルのそれぞれは、複数のリソースエレメントを含み、第１のシンボルは制御情報を伝達し、第２のシンボルはデータ送信を伝達する。決定モジュール１３１０は、参照信号に対して、第１のシンボルにおける複数のリソースエレメントの１つ以上を予約し得る。決定モジュール１３１０は、第１のシンボルにおける予約されたリソースエレメントの１つ以上を、参照シンボルで変調し得る。ここで、第１のシンボルにおける変調された１つ以上の予約されたリソースエレメントは、周波数領域において、第２のシンボルにおいて伝達された前記データ送信と重なる１つ以上の予約されたリソースエレメントのサブセットを含む。決定モジュール１３１０は、多入力多出力（ＭＩＭＯ）送信スキームに対する複数の直交参照信号を作成し得る。
【０１０７】
別の例の実施形態によれば、決定モジュール１３１０は、第１のシンボルにおいて伝達された制御情報を復号化し得る。決定モジュール１３１０は、復号化された制御情報からスケジューリング情報を取得し得る。ここで、スケジューリング情報は、周波数領域におけるデータ送信の位置を示す。決定モジュール１３１０は、周波数領域におけるデータ送信の位置に基づいて、第１のシンボルにおける１つ以上の予約されたリソースエレメントのどれが参照シンボルで変調されているかを決定し得る。決定モジュール１３１０は、参照シンボルで変調されている、第１のシンボルにおける１つ以上の予約されたリソースエレメントを用いて１つ以上の動作を行い得る。１つの例として、決定モジュール１３１０は、参照シンボルで変調されている、第１のシンボルにおける１つ以上の予約されたリソースエレメントを用いてチャネル推定を行い得る。別の例として、決定モジュール１３１０は、参照シンボルで変調されている、第１のシンボルにおける１つ以上の予約されたリソースエレメントを用いてデータ送信を復号化し得る。決定モジュール１３１０は、サブフレームアグリゲートデータ送信内の複数のシンボルのどれが参照信号を含むかを示す情報を取得し得る。
【０１０８】
決定モジュール１３１０は、図１０に関連して上述したプロセッサ１０２０のような１つ以上のプロセッサを含む、またはそれに含まれ得る。決定モジュール１３１０は、決定モジュール１３１０および／またはプロセッサ１０２０の機能のいずれかを実行するように構成されたアナログおよび／またはデジタル回路を含み得る。決定モジュール１３１０の機能は、ある実施形態では、１つ以上の異なるモジュールにおいて実行され得る。例えば、ある実施形態では、決定モジュール１３１０の機能性のいくつかは、割り当てモジュールにより実行され得る。
【０１０９】
通信モジュール１３２０は、ネットワークノード１１５の送信機能を実行し得る。ある実施形態では、ネットワークノード１１５は、図１〜８に関して上述したノードの機能のいずれかを実行し得る。１つの例の実施形態では、通信モジュール１３２０は、少なくとも１つのサブフレームを別のノードに送信し得る。通信モジュール１３２０は、サブフレームアグリゲートデータ送信内の複数のシンボルのどれが参照信号を含むかを示す情報を通信し得る。通信モジュール１３２０は、無線デバイス１１０の１つ以上にメッセージを送信し得る。通信モジュール１３２０は、図１０に関連して上述した送受信器１０１０のような送信器および／または送受信器を含み得る。通信モジュール１３２０は、メッセージおよび／または信号を無線で送信するように構成された回路を含み得る。特定の実施形態では、通信モジュール１３２０は、決定モジュール１３１０またはあらゆる他のモジュールからの送信に対するメッセージおよび／または信号を受信し得る。
【０１１０】
受信モジュール１３３０は、ネットワークノード１１５の受信機能を実行し得る。ある実施形態では、無線デバイス１１０は、図１〜８に関して上述したノードの機能のいずれかを実行し得る。１つの例の実施形態では、受信モジュール１２０１は、第１のシンボルと第２のシンボルを含む第１のサブフレームを受信し得る。ここで、第１と第２のシンボルのそれぞれは複数のリソースエレメントを含み、複数のリソースエレメントの１つ以上は参照信号に対して予約され、第１のシンボルは制御情報を伝達し、第２のシンボルはデータ送信を伝達する。受信モジュール１３３０は、複数のシンボルを含む第２のサブフレームを受信し得る。ここで、第１のサブフレームの第２のシンボルにおいて伝達されたデータ送信は、第２のサブフレームの複数のシンボルの少なくとも１つを時間領域で横断するサブフレームアグリゲートデータ送信である。受信モジュール１３３０は、無線デバイスからあらゆる適切な情報を受信し得る。受信モジュール１３３０は、図１０に関連して上述した送受信器１０１０のような受信器および／または送受信器を含み得る。受信モジュール１３３０は、メッセージおよび／または信号を無線で受信するように構成された回路を含み得る。特定の実施形態では、受信モジュール１３３０は、受信したメッセージおよび／信号を、決定モジュール１３１０またはあらゆる他の適切なモジュールと通信し得る。
【０１１１】
決定モジュール１３１０、通信モジュール１３２０、および受信モジュール１３３０は、ハードウェアおよび／またはソフトウェアのあらゆる適切な構成を含み得る。ネットワークノード１１５は、上述の機能性のいずれか、および／または、あらゆる追加的な機能性（上述したソリューションをサポートするために必要なあらゆる機能性を含む）を含む、あらゆる適切な機能性を提供することを担い得る、図１３に示す構成要素を超える追加的な構成要素を含み得る。
【０１１２】
本開示の範囲を逸脱せずに、修正、追加、または省略を、説明したシステムおよび装置になすことも可能である。システムおよび装置の構成要素は、統合または分離され得る。更に、システムおよび装置の動作は、より多くの、または、より少ない、または、他の構成要素により実行され得る。追加的に、システムおよび装置の動作は、ソフトウェア、ハードウェア、および／または他のロジックを含むあらゆる適切なロジックを用いて行われ得る。本書類で使用された「それぞれ（各）」は、１つのセットの各部材、または、１つのセットのサブセットの各部材を参照する。
【０１１３】
本開示の範囲を逸脱せずに、修正、追加、または省略を、説明した方法になすことも可能である。方法は、より多くの、または、より少ない、または他のステップを含み得る。追加的に、ステップは、あらゆる好適な順序で実行され得る。
【０１１４】
本開示では、ある実施形態に関して説明されているが、実施形態の修正および変形も当業者にとっては明らかであろう。したがって、実施形態の上述の説明は、この開示に制約されることはない。他の変更、置換および修正も、以下のクレームにより定義される、本開示の主旨および範囲を逸脱しない限り可能である。
【０１１５】
上述の説明において使用された略語は以下のものを含む。
ＡＰ：アクセスポイント
ＢＳ：基地局
ＢＴＣ：基地局コントローラ
ＢＴＳ：基地局
ＣＡＺＡＣ：Constant Amplitude Zero Auto Correlation（定振幅ゼロ自己相関）
ＣＤＭ：符号分割多重
ＣＰＥ：宅内機器
Ｄ２Ｄ：デバイス・ツー・デバイス
ＤＡＳ：分散アンテナシステム
ＤＦＴＳ−ＯＦＤＭ：離散フーリエ変換拡散ＯＦＤＭ
ＤＬ：ダウンリンク
ｅＮＢ：進化型ノードＢ
ＥＰＤＣＣＨ：強化型物理ダウンリンク制御チャネル
ＦＤＤ：周波数分割複信
ＦＤＭ：時間分割多重
ＦＢＭＣ：フィルタバンクマルチキャリア
ＬＡＮ：ローカルエリアネットワーク
ＬＥＥ：ラップトップ組込み装置
ＬＭＥ：ラップトップ搭載装置
ＬＴＥ：ロングタームエヴォリューション
Ｍ２Ｍ：マシーン・ツー・マシーン
ＭＡＮ：メトロポリタンエリアネットワーク
ＭＣＥ：マルチセル／マルチキャスト協調エンティティ
ＭＩＭＯ：多入力多出力
ＭＳＲ：マルチスタンダード無線
ＮＡＳ：非アクセス層
ＯＣＣ：直交カバーコード
ＯＦＤＭ：直交周波数分割多重
ＰＤＣＨ：物理データチャネル
ＰＤＣＣＨ：物理ダウンリンク制御チャネル
ＰＤＳＣＨ：物理ダウンリンク共有チャネル
ＰＳＴＮ：公衆回線電話ネットワーク
ＰＵＳＣＨ：物理アップリンク共有チャネル
ＰＵＣＣＨ：物理アップリンク制御チャネル
ＲＢ：リソースブロック
ＲＮＣ：無線ネットワークコントローラ
ＲＲＣ：無線リソース制御
ＲＲＨ：遠隔無線ヘッド
ＲＲＵ：遠隔無線ユニット
ＳＣ−ＦＤＭＡ：シングルキャリア周波数分割多重アクセス
ＴＤＭ：時間分割複信
ＵＥ：ユーザ装置
ＵＬ：アップリンク
ＷＡＮ：広域エリアネットワーク
【図１】
2019508926.tif 000003
【図２】
2019508926.tif 000004
【図３】
2019508926.tif 000005
【図４】
2019508926.tif 000006
【図５】
2019508926.tif 000007
【図６】
2019508926.tif 000008
【図７】
2019508926.tif 000009
【図８】
2019508926.tif 000010
【図９】
2019508926.tif 000011
【図１０】
2019508926.tif 000012
【図１１】
2019508926.tif 000013
【図１２】
2019508926.tif 000014
【図１３】
2019508926.tif 000015
【国際調査報告】
2019508926.tif 000016
2019508926.tif 000017